(57)【要約】【課題】  トラフィックストリームを柔軟に構成することを考えると、作業トラフィックに障害が発生した場合に問題が生じる。  保護トラフィックは、作業トラフィックストリームと反対方向に伝播するが、トラフィックストリームを構成するノード間が隣接していた場合、最も長い距離（最も遠いパス）を伝播する必要がある。  この場合、光リングネットワークを伝播する保護トラフィックは減衰が大きくなり、保護トラフィックが届かなくなる場合が生じる。【解決手段】ノードは、複数の作業トラフィックストリームを複数の作業波長において送信する。第１の作業トラフィックストリームにおける妨害に応答して、ノードは、保護波長において、作業トラフィックストリームに関連する保護トラフィックを送信する。保護トラフィックは任意のノードで再生中継される。【選択図】図２
2006174481.tif 000002
【特許請求の範囲】
【請求項１】
複数のノードが設けられた光リングネットワークにおいて、
第１のノードと第２のノード間で作業トラフィックを伝播する作業トラフィックストリームを構成し、
該第１のノードが該作業トラフィックストリームにおいて障害を検出したとき、該作業トラフィックストリームと反対の方向に保護トラフィックを伝播させ、
第３のノードは該保護トラフィックを受信した時、該保護トラフィックを再生中継し、該第２のノードに該保護トラフィックを伝播させることを特徴とする光リングネットワーク。
【請求項２】
請求項１記載の光リングネットワークにおいて、
該第３のノードは、該作業トラフィックストリームに用いられた波長と同じ波長の光で、該保護トラフィックを伝播させることを特徴とする光リングネットワーク。
【請求項３】
請求項１記載の光リングネットワークにおいて、
該第３のノードは、該作業トラフィックストリームに用いられた波長と異なる波長の光で、該保護トラフィックを伝播させることを特徴とする光リングネットワーク。
【請求項４】
請求項１記載の光リングネットワークにおいて、
該第３のノードは、該第１のノードから送られた該保護トラフィックに用いられた波長と同じ波長の光で、該保護トラフィックを伝播させることを特徴とする光リングネットワーク。
【請求項５】
請求項１記載の光リングネットワークにおいて、
該第３のノードは、該第１のノードから送られた該保護トラフィックに用いられた波長と異なる波長の光で、該保護トラフィックを伝播させることを特徴とする光リングネットワーク。
【請求項６】
請求項１記載の光リングネットワークにおいて、
該第１のノードと該第２のノード間の該作業トラフィックストリームは複数であることを特徴とする光リングネットワーク。
【請求項７】
作業状態において、作業トラフィックの伝播を行い、障害が発生した場合は作業トラフィックと反対方向に保護トラフィックの伝播を行う光リングネットワークに設けられたノードにおいて、
該光リングネットワークの光の波長を分離し特定の波長をブロックし、他の波長をスルーする波長ブロッキング部と、
該トラフィックとは異なる波長で送られてくる該光リングネットワーク障害情報を検出する管理要素と、
該管理要素で該光ネットワークに障害を検出した際に、該光ネットワークから該保護トラフィック受信し、電気光変換した後に光電気変換し、再び該保護トラフィックを該光ネットワークに伝播させる再生成要素と
を有することを特徴とする光リングネットワークに設けられたノード。
【請求項８】
請求項７記載の光リングネットワークに設けられたノードにおいて、
該再生成要素は、該作業トラフィックに用いられた波長と異なる波長の光で、該保護トラフィックを伝播させることを特徴とする光リングネットワークに設けられたノード。
【請求項９】
請求項７記載の光リングネットワークに設けられたノードにおいて、
該再生成要素は、該保護トラフィックに用いられた波長と同じ波長の光で、該保護トラフィックを伝播させることを特徴とする光リングネットワークに設けられたノード。
【請求項１０】
請求項７記載の光リングネットワークに設けられたノードにおいて、
該再生成要素は、任意の波長の光で、該保護トラフィックを伝播させることを特徴とする光リングネットワークに設けられたノード。
【請求項１１】
請求項７記載の光リングネットワークに設けられたノードにおいて、
該波長ブロッキング部は該管理要素からの情報により任意の波長の光をブロックすることを特徴とする光リングネットワークに設けられたノード。
【発明の詳細な説明】
【技術分野】
【０００１】
本発明は、一般的に、光伝送システムに関し、より特定的には、共有された再生成および保護機能を有する光リングネットワークに関する。
【背景技術】
【０００２】
電気通信システム、ケーブルテレビジョンシステム、およびデータ通信ネットワークは、光ネットワークを使用して、遠隔地点間で大量の情報を高速で伝達する。  光ネットワークにおいて、情報は、光信号の形で光ファイバを通じて伝達される。  光ファイバは、信号を非常に少ない損失で長距離に渡って送信することができる細いガラスの繊維である。
【０００３】
光ネットワークは、波長分割多重（ＷＤＭ）または高密度波長分割多重（ＤＷＤＭ）を使用して、送信能力を高めることが多い。ＷＤＭおよびＤＷＤＭネットワークにおいては、多くの光チャンネルは、異なる波長に対して各ファイバで伝送される。
【０００４】
ネットワーク容量は、各ファイバおよび帯域幅における波長またはチャンネルの数、もしくはチャンネルのサイズに基づく。
【０００５】
それにも関わらず、特定のチャンネルに対してトラフィックストリームを静的に割り当てると、柔軟性に欠けるシステムとなり、利用可能なネットワーク容量および他のネットワーク資源を効率的に活用することができない。
【特許文献１】特開２０００−２０９２４４号公報
【発明の開示】
【発明が解決しようとする課題】
【０００６】
トラフィックストリームを柔軟に構成することを考えると、作業トラフィックに障害が発生した場合に問題が生じる。
【０００７】
保護トラフィックは、作業トラフィックストリームと反対方向に伝播するが、トラフィックストリームを構成するノード間が隣接していた場合、最も長い距離（最も遠いパス）を伝播する必要がある。
【０００８】
この場合、光リングネットワークを伝播する保護トラフィックは減衰が大きくなり、保護トラフィックが届かなくなる場合が生じる。
【０００９】
本発明は、保護された光通信を支援するように動作可能な共有信号再生成手段および／または共有保護チャンネルを利用可能にする光リングネットワークを提供することを目的とする。
【課題を解決するための手段】
【００１０】
本発明は、上述した目的を達成するために以下の構成を採用する。
【００１１】
本発明の第１の手段として、複数のノードが設けられた光リングネットワークは
第１のノードと第２のノード間で作業トラフィックを伝播する作業トラフィックストリームを構成し、
該第１のノードが該作業トラフィックストリームにおいて障害を検出したとき、該作業トラフィックストリームと反対の方向に保護トラフィックを伝播させ、
第３のノードは該保護トラフィックを受信した時、該保護トラフィックを再生中継し、該第２のノードに該保護トラフィックを伝播させる。
【００１２】
第２の手段として、第１の手段において、
該第３のノードは、該作業トラフィックストリームに用いられた波長と同じ波長の光で、該保護トラフィックを伝播させる。
【００１３】
第３の手段として、第１の手段において、
該第３のノードは、該作業トラフィックストリームに用いられた波長と異なる波長の光で、該保護トラフィックを伝播させる。
【００１４】
第４の手段として、第１の手段において、
該第３のノードは、該第１のノードから送られた該保護トラフィックに用いられた波長と同じ波長の光で、該保護トラフィックを伝播させる。
【００１５】
第５の手段として、第１の手段において、
該第３のノードは、該第１のノードから送られた該保護トラフィックに用いられた波長と異なる波長の光で、該保護トラフィックを伝播させる。
【００１６】
第６の手段として、第１の手段において、
該第１のノードと該第２のノード間の該作業トラフィックストリームは複数である。
【００１７】
第７の手段として、光リングネットワークに設けられたノードは、
作業状態において、作業トラフィックの伝播を行い、障害が発生した場合は作業トラフィックと反対方向に保護トラフィックの伝播を行う光リングネットワークに設けられたノードにおいて、
該光リングネットワークの光の波長を分離し特定の波長をブロックし、他の波長をスルーする波長ブロッキング部と、
該トラフィックとは異なる波長で送られてくる該光リングネットワーク障害情報を検出する管理要素と、
該管理要素で該光ネットワークに障害を検出した際に、該光ネットワークから該保護トラフィック受信し、電気光変換した後に光電気変換し、再び該保護トラフィックを該光ネットワークに伝播させる再生成要素とを有する。
【００１８】
第８の手段として、第７の手段において、
該再生成要素は、該作業トラフィックに用いられた波長と異なる波長の光で、該保護トラフィックを伝播させる。
【００１９】
第９の手段として、第７の手段において、
該再生成要素は、該保護トラフィックに用いられた波長と同じ波長の光で、該保護トラフィックを伝播させる。
【００２０】
第１０の手段として、第７の手段において、
該再生成要素は、任意の波長の光で、該保護トラフィックを伝播させる。
【００２１】
第１１の手段として、第７の手段において、
該波長ブロッキング部は該管理要素からの情報により任意の波長の光をブロックする。
【発明の効果】
【００２２】
本発明によれば、可能とすることができる。
【００２３】
保護トラフィックはノードにより再生成するため、隣接ノード間等の保護のためのトラフィックストリームの距離が長い場合においても、使用に充分な信号強度で保護トラフィックを伝播させることができる。
【発明を実施するための最良の形態】
【００２４】
本発明の特定の一実施形態によれば、光ネットワークは、複数のノードを結合する光リングを有している。
【００２５】
光リングは、当該ノードのうちの２つまたはそれ以上の間での複数の作業トラフィックストリームを送信することが可能であり、各作業トラフィックストリームは、光信号の複数の波長のうちの１つにおいて送信されるトラフィックから構成している。
【００２６】
複数の作業トラフィックストリームに、第１のトラフィックストリームと、第２のトラフィックストリームとを含む。
【００２７】
加えて、複数のノードにおいて、当該ノードの１つまたはそれ以上は、複数の作業トラフィックストリームを複数の作業波長にて光リング上で送信することが可能である。
【００２８】
複数の作業トラフィックストリームは、第１の作業波長において送信される第１の作業トラフィックストリームと、第２の作業波長において送信される第２の作業トラフィックストリームとを含む。
【００２９】
さらに、第１の作業トラフィックストリームに対する障害に応答して、複数のノードは第１の保護トラフィックストリームを保護波長において送信することが可能である。
【００３０】
第１の保護トラフィックストリームは、第１の作業トラフィックストリームと関連している。
【００３１】
さらに、第２の作業トラフィックストリームに対する障害に応答して、複数のノードは、さらに、第２の保護トラフィックストリームを保護波長において送信することが可能である。
【００３２】
第２の保護トラフィックストリームは、第２の作業トラフィックストリームと関連している。
【００３３】
複数のノードは、第１の保護トラフィックストリームと、第２の保護トラフィックストリームとが互いに異なる時間に保護波長を共有するように、第１の保護トラフィックストリームと、第２の保護トラフィックストリームとを送信する。
【００３４】
本発明の１つまたはそれ以上の実施形態の技術的利点には、共通に共有された信号再生成要素を使用した、複数のトラフィックストリームについての信号再生成を提供する機能が含むことが出来る。
【００３５】
特定の一実施形態においては、これは、構成要素を削減する再生成機能を提供する光ネットワークに帰着することが出来る。
【００３６】
ある実施形態の他の技術的利点は、共通に共有された保護波長上で複数の保護トラフィックストリームを送信する能力である。
【００３７】
特定の実施形態においては、そのような共有された保護手法は、光ネットワークは増加した動作波長を有する、よって、作業トラフィックに対する大きな容量有するとに帰着することが出来る。
【００３８】
本発明の特定の一実施形態によれば、光ネットワークは、光リングと、複数のノードと、再生成要素とを含む。光リングは、複数のノードを結合し、２つまたはそれ以上のノードの間の複数の作業トラフィックストリームを送信するように動作可能である。各作業トラフィックストリームは、光信号の複数の波長のうちの１つの波長において送信されるトラフィックを含む。複数の作業トラックストリームは、第１のトラフィックストリームと、第２のトラフィックストリームとをさらに含む。
【００３９】
さらに、複数のノードのうちの１つまたはそれ以上のノードは、第１の作業トラフィックストリームの不通に応答して、第１の波長において、第１の作業トラフィックストリームに関連した第１の保護トラフィックストリームを送信するように動作可能である。また、当該少なくとも１つのノードは、第２の作業トラフィックストリームの妨害に応答して、第２の波長において、第２の作業トラフィックストリームに関連した第２の保護トラフィックストリームを送信するように動作可能である。
【００４０】
加えて、再生成要素は、光リングに結合されて、第１の保護トラフィックストリームを選択的に再生成するように動作可能である。再生成要素は、第２の作業トラフィックストリームの妨害に応答して第２の波長におけるトラフィックを受信するように再生成要素を調節し、かつ第２の保護トラフィックストリームを選択的に再生成するように動作可能である。
【００４１】
本発明の１つまたはそれ以上の実施形態の技術的利点には、共通に共有された信号再生成要素を使用した、複数のトラフィックストリームについての信号再生成を提供する機能が含まれるであろう。特定の一実施形態においては、これは、要素数の少ない再生成機能を提供することができる光ネットワークをもたらしてもよい。ある実施形態の他の技術的利点は、共通に共有された保護波長上での保護トラフィックストリームを送信する機能である。特定の実施形態においては、そのような共有された保護手法は、作業波長の数の多い、よって、作業トラフィックについて大容量の光ネットワークをもたらしてもよい。
【００４２】
本発明の様々な実施形態は、列挙した技術的利点のいくつかまたはそのすべてを含んでもよく、またはそのいずれも含まなくてもよいことが理解されるだろう。加えて、本明細書に含まれる図面、説明、および請求項から、本発明の他の技術的利点が当業者にとって容易に明らかになることもあろう。
【００４３】
図１は、本発明の一実施形態に係る光ネットワーク１０を示すブロック図である。
【００４４】
ネットワーク１０は、複数のノード１２間において情報を光信号の形式で送信するための光リングを含む。ノード１２および／またはネットワーク１０の他の適切な要素は、動的に割り当てられた波長上で情報を送受信するように構成されることが可能である。結果として、ネットワーク１０は、ネットワーク容量およびあるネットワーク資源の効率的な使用を促進することができる。
【００４５】
ネットワーク１０は、数多くの光チャンネルが異種の波長／チャンネルにおいて共通のパス上で搬送される場合に光ネットワークであってもよい。
【００４６】
この説明の目的のために、「チャンネル」および「波長」という用語は、交換可能に使用されてもよい。ネットワーク１０は、波長分割多重（ＷＤＭ）、高密度波長分割多重（ＤＷＤＭ）、または他の適切な多重チャンネルネットワークであってもよい。ネットワーク１０は、短距離首都圏ネットワーク、長距離都市間ネットワーク、または他の適切なネットワークまたはネットワークの組合せとして使用されてもよい。
【００４７】
特定の一実施形態によれば、ネットワーク１０は、光リングである。この光リングは、適宜、単一の一方向ファイバ、単一の双方向ファイバ、または複数の一方向または双方向ファイバに相当することが出来る。図示の実施形態において、光リングは、１対の一方向ファイバ、具体的には、第１のファイバ１６と、第２のファイバ１８とを含み、各ファイバは、互いに反対方向に光信号を転送する。第１のファイバ１６および第２のファイバ１８は、互いの間で情報を光信号として通信する複数のノード１２を接続する。図示の実施形態において、第１のファイバ１６は、光信号が時計回り方向に送信される時計回りリングを形成する。第２のファイバ１８は、光信号が反時計回り方向に送信される反時計回りリングを形成する。
【００４８】
ノード１２は、それぞれ、ファイバ１６およびファイバ１８に対して、およびそれらから、トラフィックをアドドロップして、サブネットワーク、クライアント装置、および／またはノード１２に結合されたネットワーク１０の他の要素との間の通信を促進するように動作する。
【００４９】
本明細書において使用されるように、「トラフィック」または「トラフィックストリーム」は、ネットワークにおいて送信、記憶、またはソートされる、光信号形式のいかなる情報をも意味してもよく、サービスに対するいかなる要求をも含む。
【００５０】
そのようなトラフィックは、音声、映像データ、テキストデータ、リアルタイムデータ、非リアルタイムデータ、および／または他の適切なデータを符号化するために変調された少なくとも１つの特徴を有する光信号で構成すること画できる。
【００５１】
変調は、位相偏移変調（ＰＳＫ）、強度変調（ＩＭ）、および他の適切な技法に基づいてもよい。加えて、そのようなトラフィックは、１つまたはそれ以上のフレーム、パケット、または組織化されていないビットストリームのようなものを含むがそれらには限定されない、いかなる適切な形式でも、構成されてもよい。
【００５２】
より特定的には、ノード１２は、サブネットワーク、隣接ネットワーク、クライアント装置、またはネットワーク１０の他の要素からファイバ１６および１８へトラフィックを転送することを可能にでき、ファイバ１６および１８からこれら同様の要素へトラフィックを転送することを可能にする。
【００５３】
トラフィックをアドおよびドロップする際に、ノード１２は、適切な要素からのトラフィックを組み合わせて、ファイバ１６および１８上で送信してもよく、トラフィックのチャンネルをファイバ１６および１８からドロップして、これら同様の要素へ入れてもよい。
【００５４】
ノード１２は、ファイバ１６および１８からトラフィックを転送またはコピーして、当該トラフィックが該当する要素への送信に利用可能となるようにすることによって、トラフィックをドロップしてもよい。
【００５５】
よって、トラフィックは、ドロップされても、リング上を循環し続けることができる。さらに、ノード１２は、宛先に到達したトラフィックチャンネル（反対方向で宛先に到達または到達しようとしているトラフィックチャンネルを含む）を終端して、宛先ノードへ到達していないトラフィックチャンネルをファイバ１６および１８上の他のノード１２へ転送するように動作可能であってもよい。
【００５６】
特定の一実施形態の内容および／または動作を、図２を参照して以下により詳細に説明する。
【００５７】
加えて、波長、電力、および品質パラメータなどの信号情報は、ノード１２において、および／または中央制御システムによって、監視されてもよい。よって、ノード１２は、ファイバ１６および１８のうちの１つまたは両方において断線または他の障害の場合に、回線保護を提供できる。
【００５８】
ように、光監視チャンネル（ＯＳＣ）は、他のノードと、図２に関して以下により詳細に説明する制御システムとノード１２の間で互いに通信をすることに利用することができる。
【００５９】
ネットワーク１０の図示の実施形態において実施されるであろう保護手法の一例として、ソースノード１２、例えばノード１２ａが、第１のトラフィックストリームを、宛先ノード、例えば１２ｂへ、第１のファイバ１６または第２のファイバ１８のいずれかの上にあるソースノード１２ａおよび宛先ノード１２ｂ間の特定のパスに沿って送信してもよい。
【００６０】
図示の目的のために、このトラフィックストリームを、「作業トラフィックストリーム」と称する。
【００６１】
作業トラフィックストリームが取ったパスに沿った当該ファイバに障害が生じた場合、または作業トラフィックストリームに妨害を生じさせる他のイベントが生じた場合に、ソースノード１２ａは、第２のトラフィックストリームであって、本明細書において「保護トラフィックストリーム」と称されるトラフィックストリームを、ソースノード１２ａおよび宛先ノード１２ｂ間の第２のパスに沿って送信することを開始して、障害のない作業トラフィックストリームによって提供されたであろう情報を同一または同等情報を提供するようにしてもよい。
【００６２】
この第２のトラフィックストリームは、作業トラフィックストリームにおいて送信される情報と同一または実質的に同様の情報を含むことができる。
【００６３】
さらに、ソースノード１２ａは、宛先ノード１２ｂへのパスに沿っての作業トラフィックストリームの送信を終端して、保護トラフィックストリームのみを送信してもよい。この説明の目的のために、ソースノード１２および宛先ノード１２間の第１のパスに沿って送信された任意の作業トラフィックストリームに関して、「保護トラフィックストリーム」は、ネットワーク１０上の障害の発生および／または検出に続く、ソースノードおよび宛先ノード間の、当該２つのノード間の第２のパスに沿ったトラフィックの任意の送信のことを指す。
【００６４】
数多くの従前の保護手法は、ネットワーク１０によって使用される作業トラフィックの各チャンネルについて、保護トラフィック専用のチャンネルが必要であった。
【００６５】
しかしながら、あるネットワークにおいては、ネットワーク１０上の障害が、ネットワーク１０上を送信される限られた数のトラフィックストリームに対してのみ、影響を与える。
【００６６】
よって、ネットワーク１０は、任意の所定の時間においてすべての利用可能なチャンネルのサブセットを保護する必要だけがある。
【００６７】
その結果、ノード１２が保護トラフィックについての共通のチャンネルを、ネットワーク１０上を送信される複数の互いに異なるトラフィックストリームに対して使用するのが有益である場合がある。
【００６８】
その結果、ネットワーク１０は、利用可能なチャンネルをより効率的に使用することを可能にすることが出来る
図８〜図１１は、保護チャンネルについての波長共有を支援するネットワーク１０の特定の一実施形態の動作をより詳細に示す。
【００６９】
さらに、保護トラフィックストリームが進んだパスは比較的長いので、ある場合には、保護トラフィックストリームにおける光信号は、再生成が必要となることがある。
【００７０】
例えば、図示の例において、ソースノード１２は、作業トラフィックストリームを送信するために、より短いパスを選択するように構成されている。
【００７１】
例えば、図示の例において、ノード１２ａは、作業トラフィックストリームを送信する場合には、ノード１２ｂへの直接のパスを選択する。
【００７２】
その結果、保護ストリームが反対方向でノード１２ｂへ送信される場合には、保護トラフィックストリームは、ノード１２ｆ，１２ｅ，１２ｄ，および１２ｃを横断するパス上を送信される。ある場合において、このより長いパスは、保護トラフィックストリームにおける光信号の重大な劣化を生じさせ、かつ、ノード１２ｅに到達した際に信号が使えなくなるほど長いものである。
【００７３】
その結果、作業トラフィックストリームの再生成が望ましい場合がある。
【００７４】
再生成器を各予想される保護トラフィックストリームに対して専用のものとすることは、法外に高価となり、あるチャンネルが保護トラフィック用にごく時たま使用される場合には、必要のないことがある。したがって、ノード１２のある実施形態は、ネットワーク１０の様々なチャンネル上のトラフィックストリームを受け入れ、かつ再生成するように動的に調整可能な再生成要素を含んでもよい。
【００７５】
その結果、ネットワーク１０上のいくつかのチャンネルは、再生成要素を共有できてもよく、よって、ネットワーク１０上を送信されるトラフィックストリームを効果的に伊保護するのに必要な再生成要素の数を減少させる。
【００７６】
図４〜図７は、ネットワーク１０上の互いに異なるチャンネルにおいて伝播されるいくつかの保護トラフィックストリームによって共有される共通の再生成要素を使用するネットワーク１０の特定の一実施形態の動作を詳細に示す。
【００７７】
図２は、ネットワーク１０において使用されるノード１２の特定の一実施形態を示すブロック図である。ノード１２は、ファイバ１６および１８上を伝播する光トラフィックを、サブネットワーク、外部ネットワーク、クライアント装置、および／またはネットワーク１０の他の要素へ導くことが可能にできる。
【００７８】
ノード１２は、各ファイバ１６および１８に結合された、転送要素２００、ドロップ要素２３０、および付加要素２４０と、管理要素１２０を含む。加えて、ネットワーク１０における１つまたはそれ以上のノード１２は、ネットワーク１０上を伝播する光信号のある部分を再生成するための適切な要素を含んでもよい。例えば、図示のように、ノード１２は、１つまたはそれ以上の再生成要素２２０を含む。
【００７９】
転送要素２００は、ファイバ１６および１８上に「インラインに」配置される。転送要素２００を使用して、ファイバ１６および１８上を伝播するトラフィックの１つまたはそれ以上のコピーを生成して、ノード１２によって使用するか、またはノード１２に結合された要素へ通信してもよい。加えて、転送要素２００は、ノード１２によって処理または生成されたトラフィック、またはノード１２のクライアント装置から受信されたトラフィックをファイバ１６および１８に対してアドするのに適した要素を含んでもよい。例えば、転送要素２００は、ファイバ１６および１８からの光信号を転送し、かつ光信号をファイバ１６および１８に対してアドするための、１つまたはそれ以上の光カプラ６０を含んでもよい。図示の実施形態において、各転送要素２００は、転送要素２００によって受信されたトラフィックを分割し、かつトラフィックのコピーを再生成要素２２０およびドロップ要素２３０へ転送するカプラ６０ａを含む。さらに、各転送要素２００は、再生成要素２２０および／または付加要素２４０から受信したトラフィックを関連ファイバに対してアドするカプラ６０ｂを含む。
【００８０】
また、各転送要素２００は、ファイバ１６および１８上を伝播するトラフィックの特定の波長を終端するように構成される波長ブロッキング部（ＷＢＵ）５４を含む。
【００８１】
その結果、トラフィックが意図した宛先または後段のノード１２で終端されることが出来る複数の宛先により既に受信されている
図２において機能ブロックとして示しているが、ＷＢＵ５４は、ある波長を動的にブロックして、他の波長を通す機能のを提供する、任意の適切なやり方で構成された任意の要素を示すことできる。一例として、ＷＢＵ５４は、一連のスイッチによって接続された光多重分離器および光多重器を含む構造を示すことができる。そのような構造の一例を、図３Ａに示し、以下により詳細に説明する。他の例として、ＷＢＵ５４は、適切な波長のトラフィックのみがファイバ１６および１８上で転送されるように選択された、調節可能なフィルタの集まりを表わすことができる。そのような構造の一例を、図３Ｂに示し、以下により詳細に説明する。さらに他の例として、ＷＢＵ５４は、波長選択スイッチを表わしてもよい。しかしながら、一般的に、ＷＢＵ５４は、個々のチャンネルまたはチャンネル群を選択的にブロックまたは転送するように一括して動作可能な任意の要素で構成できる。
【００８２】
また、転送要素２００は、ファイバ１６および１８、他のノード１２、またはネットワーク１０の任意の他の適切な要素の動作またはステータスに関する情報をノード１２が送受信できるようにする適切な要素を含むことができる。
ノード１２は、この情報を保護トラフィックの送信を調節すること、あるいはその反対に、ノード１２の動作を変更して、ネットワーク１０上で生じた障害および他の障害に応答することに利用することが出来る。
【００８３】
図示の実施形態において、各転送要素２００は、また、各ファイバ１６および１８からの進入光信号を処理するＯＳＣ入力フィルタ６６ａを含む。各ＯＳＣフィルタ６６ａは、光信号からＯＳＣ信号をフィルタリングして、ＯＳＣ信号を各ＯＳＣ受信器１１２へ転送する。各ＯＳＣフィルタ６６ａは、また、残りの光信号を、転送要素２００の他の要素へ転送または通過させる。各転送要素２００は、また、関連のＯＳＣ送信器１１６からのＯＳＣ信号を後段の増幅器６４ｂからの光信号にアドして、結合された信号を退出転送信号としてネットワーク１０の関連のファイバ１６および１８へ転送するＯＳＣ退出フィルタ６６ｂを含む。アドされたＯＳＣ信号は、局所的に生成されたデータであってもよく、または管理要素１２０によって通された受信ＯＳＣデータであってもよい。
【００８４】
分配／結合要素８０は、それぞれ、ドロップ信号スプリッタ８２と、アド信号結合器８４とを備えてもよい。スプリッタ８２は、１本の光ファイバ進入リード線と、ドロップリード線８６または再生成リード線９２としての役割を果たす複数の光ファイバ退出リード線とを備えてもよい。各ドロップリード線８６は、ノード１２の特定のローカルポート９０に関連したドロップ要素２３０に接続されてもよく、各再生成リード線９２は、特定の再生成要素２２０に結合されてもよい。図示の実施形態は、１本のドロップリード線８６と１本の再生成リード線９２とに結合されたスプリッタ８２を示すが、スプリッタ８２は、任意の適切な数のドロップリード線８６と再生成リード線９２とに結合されてもよい。
【００８５】
スプリッタ８２は、一般的に、スプリッタ８２によって受信された光信号を、それぞれがドロップリード線８６または再生成リード線９２上に伝播されるべき複数のコピーに分割することが可能な任意の適切な要素または要素の集まりを表わしてもよい。４つのドロップリード線８６が実施される特定の実施形態において、スプリッタ８２は、それぞれ、２×４の光カプラを特に備えてもよく、そこにおいて、１本の進入リード線が終端され、他の進入リード線がファイバの１区間を介してカプラ６０に結合され、４本の退出リード線をドロップリード線８６または再生成リード線９２として使用する。
【００８６】
同様に、結合器８４は、アドリード線８８または再生成されたリード線９４としての役割を果たす複数の光ファイバ進入リード線と、１本の光ファイバ退出リード線とを有するカプラを備えてもよい。各アドリード線８８は、ノード１２の特定のローカルポートに関連した付加要素２４０に接続されてもよく、各再生成されたリード線９４は、特定の再生成要素２２０に結合されてもよい。結合器８４が４本の進入リード線に結合される特定の実施形態において、結合器８４は、２×４の光カプラを備えてもよく、そこにおいて、１本の退出リード線が終端され、他の退出リード線がファイバの１区間を介してカプラに結合され、４本の進入リード線は、アドリード線８８または再生成されたリード線９４を備える。スプリッタ８２と同様に、結合器８４の上記要素は、複数の光信号を単一の出力信号に結合するための任意の適切な要素または要素の集まりに置き換えられてもよい。図示の実施形態は、１本のアドリード線８８と１本の再生成されたリード線９４とに結合された結合器８４を示すが、結合器８４は、任意の数のアドリード線８８と再生成されたリード線９４とに結合されてもよい。図示のように、ノード１２は、反時計回りアドファイバ区間２４２と、反時計回りドロップファイバ区間２４２と、時計回りアドファイバ区間２４６と、時計回りドロップファイバ区間２４８とをさらに備え、これらは、カプラ６０をスプリッタ８２と結合器８４とに接続する。
【００８７】
再生成要素２２０は、ノード１２によって受信された光信号を、選択された波長で再生成する。ノード１２の特定の実施形態において、これらの波長は、各再生成要素２２０に関連した調節可能なフィルタ１００を使用して、動的に選択可能であってもよい。各信号再生成部２２０は、光トランスポンダ対を含み、光トランスポンダ対は、再生成スイッチ２３８によって選択的に結合され、かつ光信号を特定の波長で受信および／または送信するように調節可能であってもよい第１のトランスポンダ２３６ａと、第２のトランスポンダ２３６ｂとを含む。結果として、再生成スイッチ２３８が閉じた位置にある場合に、特定の再生成要素２２０は、フィルタ１００を通った光信号を再生成して、再生成されたトラフィックを関連した結合器８４に転送して、ファイバ１６および１８にアドするように動作可能であってもよい。
【００８８】
図２は再生成要素２２０の特定の種類を含むノード１２の特定の一実施形態を示し、ノード１２は選択的かつ付加的に、後述するようなトラフィックストリームを再生成するのに適切な任意の他の要素を含むことができる。
【００８９】
加えて、図２は時計回りのトラフィックについての単一の再生成要素２２０および反時計回りのトラフィックについての単一の再生成要素２２０のみを含むノード１２の特定の一実施形態を示すが、ノード１２は、いずれの方向へのトラフィックを再生成するための任意の数の再生成要素２２０を含んでもよい。
【００９０】
ドロップ要素２３０および付加要素２４０は、ファイバ１６および１８からのトラフィックを特定のローカルポート９０へドロップし、かつローカルポート９０からのトラフィックをファイバ１６および１８へアドする。より特定的には、ドロップ要素２３０は、選択された波長または波長の範囲のみを通過させるように動作可能な調節可能なフィルタ１００と、光信号を受信して、これらの光信号に基づいて電気信号を生成するように動作可能な受信器１０２とを含む。付加要素２４０は、ローカルポート９０から電気信号を受信し、かつ調節された波長で光信号を送信するように動作可能な調節可能な送信器１０４を含む。
【００９１】
特定の一実施形態において、ドロップ要素２３０は、また、第１のファイバ１６に関連したスプリッタ８２からのドロップリード線８６または第２のファイバ１８に関連したスプリッタ８２からのドロップリード線８６へドロップ部２３０を選択的に結合するドロップスイッチ２３２を含む。
【００９２】
同様に、付加要素２４０は、第１のファイバ１６に関連した結合器８４に結合されたアドリード線８８または第２のファイバ１８に関連した結合器８４に結合されたアドリード線８８へ付加要素２４０を選択的に結合するアドスイッチ２４２を含む。
【００９３】
結果として、ドロップ要素２３０は、第１のファイバ１６または第２のファイバ１８からトラフィックを選択的に受信してもよく、付加要素２４０は、トラフィックを第１のファイバ１６または第２のファイバ１８へ選択的に送信して、後述するような保護トラフィックの送受信を促進してもよい。
【００９４】
図２は単一の再生成要素２２０のみを含むノード１２の特定の一実施形態を示すが、ノード１２は、任意の数の再生成要素２２０を含んでもよい。
【００９５】
図２は単一のドロップ要素２３０および付加要素２４０を含むノード１２の特定の一実施形態を示すが、ノード１２は、ローカルポート９０へトラフィックをアドおよびドロップするための任意の数のドロップ要素２３０および再生成要素２２０を含んでもよい。
【００９６】
特定の一実施形態において、ノード１２は、ノード１２の各ローカルポート９０に関連し、かつ、関連したローカルポート９０へトラフィックをドロップおよび関連したローカルポート９０から受信したトラフィックをアドするようにそれぞれ動作可能なドロップ要素２３０および付加要素２４０を含む。
【００９７】
管理要素１２０は、ＯＳＣ受信器１１２と、ＯＳＣインターフェイス１１４と、ＯＳＣ送信器１１６と、要素管理システム（ＥＭＳ）１２４とで構成されることができる。ノード１２は、また、管理要素１２０を進入および退出ＯＳＣフィルタ６６へ接続するＯＳＣファイバ区間１５０，１５２，１５４，および１５６を備える。各ＯＳＣ受信器１１２、ＯＳＣインターフェイス１１４、およびＯＳＣ送信器１１６の組は、ノード１２におけるファイバ１６または１８のうちの１つについてのＯＳＣ部を形成する。ＯＳＣ部は、ＥＭＳ１２４についてのＯＳＣ信号を送受信する。ＥＭＳ１２４は、ネットワーク管理システム（ＮＭＳ）１２６に通信可能に結合されてもよい。ＮＭＳ１２６は、異なるノードにおいて、ノード１２内にあってもよく、すべてのノード１２の外部にあってよい。
【００９８】
ＥＭＳ１２４および／またはＮＭＳ１２６は、ネットワーク１０についてのネットワークおよび／またはノード監視、障害検出、保護切り換え、およびループバックまたは局部試験機能を備えてもよい。論理は、ディスクまたはメモリ１２０などの他のコンピュータ読み取り可能な媒体において符号化されたソフトウェア、および／または、アプリケーション専用集積回路（ＡＳＩＣ）、書き込み可能ゲートアレイ（ＦＰＧＡ）、もしくは他のプロセッサまたはハードウェアにおいて符号化された命令を備えてもよい。ＥＭＳ１２４および／またはＮＭＳ１２６は、ネットワークの他の要素によって実行されてもよく、および／または、そうでなければ分配または集中されてもよいことが理解されるだろう。例えば、ＮＭＳ１２６の動作は、ノード１２および／または１４のＥＭＳ１２４に分配されてもよく、よって、ＮＭＳ１２６は、個々の別個の要素として、省略されてもよい。同様に、ＯＳＣ部同士は、ＮＭＳ１２６とＥＭＳ１２４とを省略して、直接通信してもよい。
【００９９】
ＥＭＳ１２４は、ノード１２におけるすべての要素を監視および／または制御する。特に、ＥＭＳ１１４は、当該リングに関連したＯＳＣ受信器を介して、電気形式で、各ファイバ１６および１８からＯＳＣ信号を受信する（ＯＳＣ受信器１１２は、ＯＳＣフィルタ６６ａを介して信号を取得する）。ＥＭＳ１２４は、信号を処理し、信号を転送し、および／または信号をループバックしてもよい。よって、例えば、ＥＭＳ１２４は、電気信号を受信し、ＯＳＣ信号をＯＳＣ送信器１１６およびＯＳＣフィルタ６６ｂとを介して、ファイバ１６および１８上の次のノードに再び送り、適宜、ノード固有のエラー情報または他の適切な情報をＯＳＣへアドするように動作可能である。
【０１００】
一実施形態において、ノード１２における各要素は、自身を監視して、障害または他の問題が生じた場合に、ＥＭＳ１２４に対して警告信号を送信する。例えば、ノード１２におけるＥＭＳ１２４は、ノード１２における要素からの様々な種類の１つまたはそれ以上の警告を受信してもよく、警告は、増幅器光損失（ＬＯＬ）警告、増幅装置警告、光受信装置警告、光送信装置警告、または他の警告である。いくつかの障害によっては、複数の警告を生じさせることがある。例えば、ファイバの断線は、隣接するノードにおける増幅器ＬＯＬ警告と、光受信器からのエラー警告も生じさせることがある。加えて、ＥＭＳ１２４は、ノード１２内の適切なファイバ区間と、ＥＭＳ１２４とに通信可能に接続された光スペクトル分析器（ＯＳＡ）を使用して、ノード１２内の光信号の波長および／または電力を監視してもよい。
【０１０１】
ＮＭＳ１２６は、ネットワーク１０におけるすべてのノード１２からのエラー情報を収集し、かつ警告および他の適切な情報を分析して障害の種類および／または位置を決定するように動作可能である。障害の種類および／または位置に基づいて、ＮＭＳ１２６は、ネットワーク１０について必要な保護切り換え動作を決定する。保護切り換え動作は、ＮＭＳ１２６が、１つまたはそれ以上のノード１２におけるＥＭＳに対して命令を発行することによって、行われてもよい。エラーメッセージは、障害のある装置を置き換えることによって修正される場合もある装置障害を示してもよい。例えば、光受信器または送信器の障害が、光受信装置警告または光送信装置警告をそれぞれ引き起こしてもよく、必要に応じて光受信器または送信器が置き換えられる。ＥＭＳ１２４は、エラーメッセージに基づいて、これらのノードの送信器１０４、フィルタ１００、または受信器１０２を再調節してもよく、または、これらのノードの再生成スイッチ２３８、ドロップスイッチ２３２、またはアドスイッチ２４２を切り換えてもよい。
【０１０２】
メモリ１２０は、ＥＭＳ１２４、ＮＭＳ１２６、および／またはネットワーク１０の他の要素に関連した符号、ネットワーク１０上での保護トラフィックについて使用される波長割り当て手法を特定する情報、および／またはネットワーク１０の動作中に使用される任意の他の適切な情報を記憶するように動作可能であってもよい。メモリは、ノード１２内にある１つ以上のメモリ装置、またはノード１２から物理的に別個のメモリ装置を表わしてもよい。加えて、メモリ１２０は、他のノード１２を含むネットワーク１０の他の要素と共有されてもよい。メモリ１２０は、複数のコンピュータディスク、ハードディスクメモリ、ランダムアクセスメモリ（ＲＡＭ）、読み出し専用メモリ（ＲＯＭ）、または任意の他の適切な記憶媒体を示すことができる。
【０１０３】
動作において、転送要素２００は、ファイバ１６および１８に対してトラフィックをアドし、かつファイバ１６および１８からトラフィックをドロップするように動作可能である。転送要素２００は、ファイバ１６および１８に対しておよびそこから、ＯＳＣ信号をアドおよびドロップするようにさらに動作可能である。より特定的には、各ＯＳＣ進入フィルタ６６ａは、各ファイバ１６および１８からの進入光信号を処理する。ＯＳＣフィルタ６６ａは、光信号からＯＳＣ信号をフィルタリングして、ＯＳＣ信号を各ＯＳＣ受信器１１２へ転送する。各ＯＳＣフィルタ６６ａは、また、残りの転送光信号を関連した増幅器６４へ転送または通過させる。増幅器６４は、信号を増幅して、当該信号をその関連したカプラ６０ａへ転送する。
【０１０４】
各カプラ６０ａは、増幅器６４からの信号を、ＷＢＵ５４へ転送されるスルー信号と、該当する転送要素２００に関連した再生成要素２２０および／またはドロップ要素２３０へ転送されるドロップ信号という２つのコピーに分割する。この説明および下記の請求項の目的のために、２つまたはそれ以上の信号は、電力および／またはエネルギーレベルは互いに異なっているかもしれないが、信号が内容において同一または実質的に同一という点で、互いのコピーを表してもよい。以下の説明では、簡略化のために、単一の再生成要素２２０を含むノード１２の一実施形態を中心としているが、ノード１２は、ローカル信号のコピーをスプリッタ８２からそれぞれ受信する複数の再生成要素２２０を含んでもよい。さらに、これらの各再生成要素２２０は、関連した再生成要素２２０が再生成の役割を担う特定のチャンネルを分離する、フィルタ１００のような要素を含んでもよい。加えて、これらの要素は、特定のチャンネルが動的に選択されて再生成されるように、動作中に再構成されてもよい。同様に、ノード１２は、任意の適切な数のドロップ要素２３０であって、それぞれが当該ドロップ要素２３０に関連したローカルポートに転送されるべきチャンネルまたはチャンネルの範囲を分離するための適切な要素を含むものを含んでもよい。
【０１０５】
よって、ドロップリード線９２は、カプラ６０ａから受信した信号のコピーを、１つまたはそれ以上の再生成要素２２０または付加要素２３０のフィルタ１００へ転送する。上述したように、ＥＭＳ１２４は、再生成すべき特定の波長を通すように１つまたはそれ以上の再生成要素２２０のフィルタ１００を構成してもよい。フィルタ１００の出力（選択された波長）は、再生成要素２２０の第１のトランスポンダ２３６ａへ転送される。
【０１０６】
第１のトランスポンダ２３６ａおよび第２のトランスポンダ２３６ｂは、それぞれ、光信号を受信して、当該光信号を電気信号に変換する受信器を含んでもよい。さらに、この受信器は、調節可能、または、受信器がフィルタ１００によって通された選択された波長を受信できるように構成可能であってもよい。各トランスポンダ２３６は、また、電気信号を光信号に変換し戻すような送信器を含む。そのような光信号の光−電気−光変換によって、信号が再生成される。代わりに、第１のトランスポンダ２３６ａおよび第２のトランスポンダ２３６ｂは、それぞれ、単一の受信器及び単一の送信器に置き換えられてもよく、そこにおいて、受信された信号は、受信器から送信器へ、適切に構成された再生成スイッチ２３８を通じて電気的に通信される。他の代替案として、第１のトランスポンダ２３６ａおよび第２のトランスポンダ２３６ｂは、それぞれ、単一のトランスポンダ２３６および再生成スイッチ２３８によって置き換えられてもよく、省略されてもよい。
【０１０７】
結果として、第１のトランスポンダ２３６ａは、分離された波長または波長の範囲を含むフィルタ１００の出力を受信し、光信号を電気信号に変換する。この電気信号は、第１のトランスポンダ２３６ａから第２のトランスポンダ２３６ｂへ、再生成スイッチ２３８を通じて転送されてもよい。再生成スイッチ２３８は、第１のトランスポンダ２３６ａから来る光信号を選択的に終端してもよく、または信号を第２のトランスポンダ２３６ｂへ転送してもよい。特定の一実施形態において、ＥＭＳ１２４は、ネットワーク１０上で検出された障害に基づいて、再生成スイッチ２３８の位置を調整してもよい。再生成スイッチ２３８が閉じられる場合には、第２のトランスポンダ２３６ｂは、第１のトランスポンダ２３６ａから受信した電気信号を形成する再生成された光信号を生成する。以下にさらに説明するように、再生成された光信号は、再生成要素２２０の構成によっては、元の光信号と同じ波長または異なる波長で送信されてもよい。
【０１０８】
再生成された後、再生成された光信号は、第２のトランスポンダ２３６ｂによって、再生成されたリード線９４を介して、当該再生成要素２２０に関連した転送要素２００のカプラ６０ｂへ送信される。上記のように、ノード１２は、任意の適切な数および組み合わせの動的に選択されたチャンネルを再生成するように構成された、任意の数の再生成要素２２０を含んでもよい。ノード１２が各ファイバ１６および１８上のトラフィックについて複数の再生成要素２２０を含む場合には、結合器８４は、複数の再生成要素２２０の第２のトランスポンダ２３６ｂからの互いに異なる波長／チャンネルを結合して、結合された光信号を、関連した転送要素２００のカプラ６０ｂへ転送してもよい。その結果、ノード１２は、ファイバ１６および１８上を伝播する複数の互いに異なるチャンネルを同時に再生成してもよい。
【０１０９】
ところで、トラフィックは、ドロップ要素２３０によってローカルポート９０へドロップされてもよいし、または、付加要素２４０によってローカルポート９０からアドされてもよい。特定の一実施形態において、ノード１２は、各ローカルポート９０に結合された、第１のファイバ１６および第２のファイバ１８から当該特定のローカルポート９０へトラフィックを選択的にドロップする役割を担うドロップ要素２３０を含む。ドロップ要素２３０は、ドロップスイッチ２３２の位置に基づいて、第１のファイバ１６または第２のファイバ１８に選択的に結合する。より特定的には、ドロップスイッチ２３２は、ドロップ要素２３０を、第１のファイバ１６に関連したスプリッタ８２からのドロップリード線８６へ、または、第２のファイバ１８に関連したスプリッタ８２からのドロップリード線８６へ、選択的に結合する。その結果、ドロップ要素２３０は、第１のファイバ１６または第２のファイバ１８からのトラフィックを選択的に受信してもよい。例えば、ＥＭＳ１２４は、ドロップスイッチ２３２の構成を制御して、ドロップスイッチの位置をドロップ要素２３２が第１のファイバ１６または第２のファイバ１８へ適宜結合して、当該２つのファイバ上で送信される作業トラフィックストリームと、保護ストリームとの間で切り換えるようにしてもよい。
【０１１０】
ドロップ要素２３０は、選択された波長または波長の範囲のみを通すように動作可能な調節可能なフィルタ１００と、光信号を受信して、これらの光信号に基づいて電気信号を生成するように動作可能な受信器１０２とをさらに含む。受信器１０２は、動的に決定された波長が、光信号内のすべての他の波長を終端している間に、フィルタ１００を通過可能にするように動作可能な、調節可能な受信器を表してもよい。よって、特定のファイバ上の障害の検出に応じて、ＥＭＳ１２４は、フィルタ１００と、適宜、特定のドロップ要素２３０についての受信器とを調節して、関連したローカルポートが、当該ローカルポート９０によって現在受信されている作業トラフィックストリームの波長とは異なる波長上で保護トラフィックストリームを受信できるようにしてもよい。そのような場合に、ＥＭＳ１２４は、また、ドロップスイッチ２３２の位置を調整して、該当するフィルタ１００と受信器１０２とを他のファイバに結合してもよい。同様に、ＥＭＳ１２４は、障害が補正されると、フィルタ１００および受信器１０２を以前の設定に再調節して、ローカルポート９０が作業トラフィックストリームの受信に戻るようにしてもよい。ＥＭＳ１４２は、また、ドロップスイッチ３２の位置を調節して、フィルタ１００及び受信器１０２を、これらの要素が元々結合されていたファイバへ結合してもよい。
【０１１１】
同様に、付加要素２４０は、アドスイッチ２４２の位置に基づいて、各ローカルポート９０を第１のファイバ１６または第２のファイバ１８へ選択的に結合する。より特定的には、各付加要素２４０は、付加要素２４０を、第１のファイバ１６に関連した結合器８４からのアドリード線８８へ、または第２のファイバ１８に関連した結合器８４からのアドリード線８８へ選択的に結合するアドスイッチ２４２を含む。その結果、付加要素２４０は、トラフィックを第１のファイバ１６または第２のファイバ１８へ選択的にアドしてもよい。例えば、図示の実施形態において、ＥＭＳ１２４は、アドスイッチ２４２の構成を制御し、かつ、アドスイッチ２４２の位置を調整して、付加部２４０を第１のファイバ１６または第２のファイバ１８へ適宜結合して、一方のファイバ上での第１の方向への送信と、他方のファイバ上での第２の方向への送信とを切り換える。例えば、ＥＭＳ１２４は、アドスイッチ２４２を適宜切り換えて、付加要素２４０を、一方のファイバ上での作業トラフィックストリームの送信から他方のファイバ上での保護トラフィックストリームの送信へ移行させてもよい。
【０１１２】
付加要素２４０は、関連したローカルポート９０からの電気信号を受信し、かつ、所望の波長の光信号を送信するように動作可能な、調節可能な送信器１０４をさらに含む。さらに、ＥＭＳ１２４は、送信器１０４の調節された波長を制御してもよい。よって、障害の検出に応じて、ＥＭＳ１２４は、送信器１０４を調節して、送信器１０４を、作業トラフィックに関連した波長におけるトラフィックの送信の形成、保護トラフィックに関連した波長におけるトラフィックの送信へ移行させてもよい（それらの波長が互いに異なる場合）。同様に、障害が補正されると、ＥＭＳ１２４は、送信器１０４を元々の設定に再調節して、ノード１２が、関連したローカルポート９０からのトラフィックを作業トラフィックストリームに関連した周波数において送信することへ戻るようにしてもよい。
【０１１３】
カプラ６０ａの動作に戻って、ドロップ信号を上述のように転送するのに加えて、各カプラ６０ａは、スルー信号をそのそれぞれのＷＢＵ５４に対して転送する。ＷＢＵ５４は、光信号を受信し、スルー信号のチャンネルを選択的に終端または転送する。特定の実施形態において、ＷＢＵ５４は、ノード１２のローカルポート９０および／またはノード１２に結合されたネットワーク１０の任意の外部ネットワークまたはサブネットワークからのトラフィックに関連した波長／チャンネルを終端する。ＷＢＵ５４は、転送されたチャンネルを結合して、カプラ６０ｃへ転送される出力信号からとする。  
【０１１４】
各カプラ６０ｂは、関連した結合器８４からのトラフィックをＷＢＵ５４の出力と結合して、結果生じた信号をＯＳＣ退出フィルタ６６ｂへ転送する。上記のように、結合器８４から受信したトラフィックは、該当する転送要素２００へ戻される再生成されたトラフィックと、付加要素２４０によって受信された局地的に生じたトラフィックとの両方を含んでもよい。
【０１１５】
カプラ６０ｂが再生成および／または局地的に生じたトラフィックをＷＢＵ５４の出力にアドした後、カプラ６０ｂは、結合された信号を関連したＯＳＣ退出フィルタ６６ｂへ転送する。各ＯＳＣ退出フィルタ６６ｂは、関連したＯＳＣ送信器１１６からのＯＳＣ信号を結合された光信号にアドして、新たな結合された信号を退出転送信号として、ネットワーク１０の関連したファイバ１６または１８へ転送する。アドされたＯＳＣ信号は、局地的に生成されたデータであってもよく、または、ＥＭＳ１２４によって転送された受信ＯＳＣデータであってもよい。
【０１１６】
図３Ａは、ＷＢＵ５４の一実施形態を示す。特に、図３Ａは、ＷＢＵ５４への入力トラフィックの特定の波長を選択的に終端または透過することができる一連のスイッチ３３０を含むＷＢＵ５４の一実施形態を示す。図示の実施形態において、ＷＢＵ５４は、多重分離器３１０と、多重器３２０と、複数のスイッチ３３０とを含む。
【０１１７】
動作において、多重分離器３１０は、ＷＢＵ５４へ入力された、例えばノード１２のカプラ６０ａからの光信号を受信する。多重分離器３１０は、信号をその構成チャンネルに多重分離する。スイッチ３３０は、関連した制御ライン３３２上の各スイッチ３３０によって受信された制御信号に基づいて、各チャンネルを選択的に終端、または多重器３２０へ転送するように、動的に構成されてもよい。スイッチ３３０によって転送されるチャンネルは、多重器３２０によって受信され、多重器３２０は、受信されたチャンネルを多重してＷＤＭ光信号にして、当該光信号を下流の要素へ転送する。その結果、波長は選択的に終端、または転送されてＷＢＵ５４から下流の要素へ転送されないトラフィックを終端してもよい。例えば、スイッチ３３０は、ＷＢＵ５４が存在する特定のノード１２において収集されたトラフィックによって使用されるために確保されていた特定の波長上のトラフィックを終端するように構成されてもよい。その結果、ノード１２は、上流のトラフィックからの妨害なしに、これらの終端された波長のうちの１つの上にトラフィックをアドしてもよい。
【０１１８】
図３Ｂは、多重分離器３１０および多重器３２０に代えて１つまたはそれ以上のカプラ６０と、スイッチ３３０の代わりに調節可能なフィルタ３７０の集まりを使用するＷＢＵ５４の代替実施形態を示す。特に、ＷＢＵ５４の図示の実施形態は、第１のカプラ６０ｅと、第２のカプラ６０ｆと、複数の調節可能なフィルタ３７０とを含む。各調節可能なフィルタ３７０は、調節されて、トラフィックの特定の波長または波長の範囲を伝播し、かつすべての他の波長または波長の範囲を終端する。
【０１１９】
動作において、カプラ６０ｅは、例えばノード１２のカプラ６０ａから、ＷＢＵ５４へ入力された光信号を受信する。カプラ６０ｅは、光信号を複数のコピーに分割して、これらの各コピーを特定の調節可能なフィルタ３７０へ送信する。カプラ６０ｅおよび６０ｆは、共に単一のカプラとして示されているが、カプラ６０ｅおよび６０ｆは共に、ＷＢＵ５４の特定の一実施形態においては、ＷＢＵ５４へ入力された光信号の複数のコピーを生成する、カスケード接続された１つまたはそれ以上のカプラを備えてもよい。
【０１２０】
各調節可能なフィルタ３７０は、特定の波長で、または特定の波長の範囲内で伝播するトラフィックを選択的に通過させて、すべての他の波長で伝播するトラフィックをブロックする。その後、各調節可能なフィルタ３７０は、通過したトラフィックを関連した波長または複数の波長でカプラ６０ｆへ転送する。カプラ６０ｆは、各調節可能なフィルタ３７０の出力を結合して、これらの信号を、例えば、ノード１２の特定の一実施形態におけるＷＢＵ５４に結合されたノード１２の光カプラ６０ｂへ転送する。その結果、１つまたはそれ以上のフィルタ３７０の「調節」に一致する波長のみが、一連のフィルタ２７０を通過することとなり、ＷＢＵ５４が結合されるファイバ１６および１８上で、波長が選択的に終端または転送されてもよい。
【０１２１】
図４〜図７は、ネットワーク上で互いに異なる波長において伝播する第１の光トラフィックストリームと、第２の光トラフィックストリームとを生成するための、図１に示すネットワークの特定の一実施形態の動作を示す。より特定的には、図４〜図７は、共有された再生成要素２２０を使用して複数のトラフィックストリームを適時再生成する際の特定のノード１２の動作を示す。特に、図４〜図７は、ノード１２ｄが第１の波長で伝播する第１のトラフィックストリームを再生成して、その後、同一の再生成要素２２０を使用して、第２の波長で伝播する第２のトラフィックストリームを再生成するようなネットワーク１０の動作を示す。上記のように、再生成要素２２０は、ノード１２に含まれる共通の再生成要素２２０による任意の適切なトラフィックストリームの生成を考慮するように動的に構成できるので、ネットワーク１０の特定の実施形態は、システム資源のより効率的な使用を提供することもある。
【０１２２】
図４は、当初の構成に従った、図１に示すネットワーク１０の実施形態の動作の一例を示す。図示のように、ノード１２ｄは、図２に関して上述の１つまたはそれ以上の再生成要素２２０を含む。しかしながら、ネットワーク１０は、再生成要素２２０を含んだ適切な数のノード１２を含んでもよい。
【０１２３】
図示の例において、ノード１２ａは、ノード１２ａのローカルポート９０においてノード１２ａによって生成されるか、またはノード１２ａによって受信される信号を搬送する第１のファイバ１６に沿って時計回りに、トラフィックストリームをノード１２ｂへ送信する。ノード１２ａは、このトラフィックストリームを、ノード１２ｂまたはノード１２ｂの特定のローカルポート９０に関連した波長、ここではλ１とする波長において送信する。ノード１２ａは、この波長を任意の適切なやり方で決定してよい。この説明および後述の請求項の目的のために、このトラフィックストリームは、「作業トラフィックストリーム４１０」または、特定的には、作業トラフィックストリーム４１０ａと称する。図示の例において、ノード１２ｂもまた、ノード１２ｂのソースローカルポート９０において受信された信号を搬送する第１のファイバ１６に沿って時計回りに、作業トラフィックストリーム４１０ｂをノード１２ｃへ送信する。ノード１２ａは、この作業トラフィックストリーム４１０ｂを特定の波長、ここではλ２とする波長において送信する。特定の一実施形態において、作業トラフィックストリーム４１０はすべて、関連したノード１２によって送信され、適宜、第１のファイバ１６または第２のファイバ１８上を伝播するＷＤＭ信号またはＤＷＤＭ信号へアドされてもよい。
【０１２４】
ノード１２ｂは、作業トラフィックストリーム４１０ａを含む第１のファイバ１６上の光信号を受信する。ノード１２ｂは、図２に関して上述したように、作業トラフィックストリーム４１０ａを含む光信号を、ノード１２ｂの１つまたはそれ以上のドロップ要素２３０へ転送する。作業トラフィックストリーム４１０ａの１つまたはそれ以上の宛先ドロップ要素２３０は、作業トラフィックストリーム４１０ａが送信された波長であるλ１において第１のファイバ１６からトラフィックを受信するように構成されてもよい。より特定的には、特定のドロップ要素２３０の調節可能なフィルタ１００は、作業トラフィックストリーム４１０ａの波長であるλ１において伝播するトラフィックを通過させるように調節されてもよく、当該ドロップ要素２３０の受信器１０２は、λ１において伝播するトラフィックを受信して、当該トラフィックの光信号を電気信号に変換してノード１２ｂまたはノード１２ｂに結合された要素による使用に供するように調節されてもよい。
【０１２５】
同様に、ノード１２ｃは、作業トラフィックストリーム４１０ｂを含む第１のファイバ１６上の光信号を受信して、作業トラフィックストリーム４１０ｂを含む当該光信号を、ノード１２ｃの１つまたはそれ以上のドロップ要素２３０へ転送する。ノード１２ｃの１つまたはそれ以上のドロップ要素２３０は、作業トラフィックストリーム４１０ｂが送信された波長であるλ２において第１のファイバ１６からトラフィックを受信するように構成されてもよい。その結果、作業トラフィックストリーム４１０ｂは、ノード１２ｃの特定のドロップ要素２３０に関連したフィルタ１００を通過してもよく、当該ドロップ要素２３０に関連した送信器１０４は、当該トラフィックの光信号を電気信号に変換して、ノード１２ｂまたはノード１２ｂに結合された要素による使用に供するようにしてもよい。
【０１２６】
図５は、ノード１２ａからノード１２ｂへの作業トラフィックストリーム４１０ａの送信を妨害する障害または他の発生に続くネットワーク１０の動作を示す。ネットワーク１０の図示された実施形態において、ネットワーク１０の適切な要素が、障害を検出して、当該障害に関する情報をネットワーク１０における１つまたはそれ以上のノード１２に対して通信する。例えば、ノード１２ｂのＥＭＳ１２４は、ノード１２ｂによって受信されている１つまたはそれ以上の光の終端から生じた光損失（ＬＯＬ）信号を検出してもよい。その後、ノード１２ｂは、当該障害に関する情報を、ネットワーク１０のＮＭＳ１２６に対して通信し、次に、ＮＭＳ１２６は、ノード１２ａおよび／または１２ｂを含むネットワーク１０の適切な要素に対して、ノード１２ａおよびノード１２ｂ間に障害が発生した旨を示すエラーメッセージを送る。しかしながら、一般的に、ネットワーク１０の適切な要素が、任意の適切なやり方で障害を検出して、当該障害に関する情報を任意の要素に対して任意の適切なやり方で流してもよい。
【０１２７】
障害に応答して、ネットワーク１０の図示された実施形態において、ノード１２ａは、作業トラフィックストリーム４１０ａを置き換えるための保護トラフィックの送信を開始する。より特定的には、ノード１２ａは、保護トラフィックストリーム４２０ａを、第２のファイバ１８上を反時計回りの方向に、ノード１２ｂに対し送信する。ノード１２ａは、この保護トラフィックストリーム４２０ａを、作業トラフィックストリーム４１０ａについて生成された保護トラフィックに関連した波長、ここではλ１で送信する。
【０１２８】
特定の実施形態において、トラフィックストリーム４２０ａは、ファイバ１８に沿って反時計回りの方向にノード１２ａおよびノード１２ｂ間の距離を横断した結果、ノード１２ｂにおいて使用できないほど減衰することがある。その結果、ノード１２ｄは、障害に応答して、ファイバ１８に関連したノード１２の特定の再生成要素２２０を、保護トラフィックストリーム４２０ａを再生成するように構成してもよい。ノード１２ｄの特定の一実施形態において、ノード１２ｄは、該当する再生成要素２２０の再生成スイッチ２３８を閉じてもよく（再生成スイッチ２３８が既に閉じられていない場合）、それによって、第１のトランスポンダ２３６ａおよび第２のトランスポンダ２３６ｂを結合する。ノード１２ｄは、また、再生成要素２２０のフィルタ１００を、波長λ１において伝播する信号が再生成要素２２０の第１のトランスポンダ２３６ａへ通過できるように調節してもよい。同様に、ノード１２ｄは、適宜、第１のトランスポンダ２３６ａを、波長λ１の信号を受信するように調節してもよい。
【０１２９】
特定の一実施形態において、ノード１２ｄは、障害に応じて再生成要素２２０を再構成する一部として、第２のトランスポンダ２３６ｂが再生成されたトラフィックストリーム４３０ａを保護トラフィックストリーム４２０ａが送信されたのと同じ波長、すなわちλ１で送信するように、再生成要素２２０の第２のトランスポンダ２３６ｂを調節してもよい。一代替実施形態において、再生成要素２２０の第２のトランスポンダ２３６ｂは、すべての再生成されたトラフィックを所定の波長λＲで送信する。結果として、そのような代替実施形態は、第２のトランスポンダ２３６ｂについて、調整可能であるかまたはそうではない、または調節に少なからず時間が必要であるような、より単純な要素を使用してもよい。これにより、再生成要素２２０において、より低価格で、より数が少なく、または複雑さが少ない要素を利用することができるようになってもよい。
【０１３０】
この再構成の結果、再生成要素２２０の第１のトランスポンダ２３６ａは、保護トラフィックストリーム４２０ａを受信して、保護トラフィックストリーム４２０ａに基づいて電気信号を生成する。第１のトランスポンダ２３６ａは、この電気信号を、再生成スイッチ２３８を通じて第２のトランスポンダ２３６ｂへ送信する。次に、第２のトランスポンダ２３６ｂは、第１のトランスポンダ２３６ａから受信された電気信号に基づいて、再生成されたトラフィックストリーム４３０ａの送信を開始する。再生成されたトラフィックストリーム４３０の内容は、保護トラフィックストリーム４２０の内容と同一または実質的に同一であるが、再生成されたトラフィックストリーム４３０の信号強度は、保護トラフィックストリーム４２０ａの信号強度より大きい。よって、再生成されたトラフィックストリーム４３０ａの信号強度は、保護トラフィックストリーム４２０ａおよび再生成されたトラフィックストリーム４３０ａによって横断された総距離にもかかわらず、再生成されたトラフィックストリーム４３０ａをノード１２ｂが受信および使用するのに充分に強い場合がある。
【０１３１】
加えて、障害に応答して、ノード１２ｂは、障害以前に作業トラフィックストリーム４１０ａを受信していたノード１２ｂのドロップ要素２３０を、当該ドロップ要素２３０に関連した受信器１０２が第２のファイバ１８からトラフィックを受信するように再構成する。特に、ノード１２ｂは、該当するドロップ要素２３０の再生成スイッチ２３８を切り換えて、当該ドロップ要素２３０が第２のファイバ１８に結合するようにする。また、この再構成には、適宜、該当するドロップ要素２３０のフィルタ１００および受信器１０２を、再生成されたトラフィックストリーム４３０ａが送信された波長においてトラフィックを受信するように復帰させることを伴ってもよい。
【０１３２】
再構成の結果として、再生成されたトラフィックストリーム４３０ａは、作業トラフィックストリーム４１０ａを以前に受信していたドロップ要素２３０に関連したフィルタ１００を通過し、当該ドロップ要素２３０に関連した送信器１０４は、当該トラフィックの光信号を電気信号に変換して、ノード１２ｂまたはノード１２ｂに結合された要素による使用に供する。よって、ノード１２ｂは、ファイバ１６における障害にもかかわらず、ノード１２ａによって送信されたトラフィックを受信する。加えて、保護されたトラフィックを再生成するという理由で、ノード１２ｂは、ノード１２ｂによる使用に充分な信号強度で当該トラフィックを受信する。
【０１３３】
図６は、ノード１２ｂおよび１２ｃ間のファイバ１６上のトラフィックの送信を妨害する第２の障害に続くネットワーク１０の動作を示す。上記のように、簡略化のために、ネットワーク１０は、任意の所定の時間において１つの障害のみを受けやすいものとする。その結果、この第２の障害は、第１の障害および／または任意の他の以前の障害を補正するのに取られる任意の適切な救済措置に続いて生じるものとする。
【０１３４】
ネットワーク１０の図示の実施形態において、ノード１２ｃのＥＭＳは、ノード１２ｃによって受信されている１つまたはそれ以上の光信号の終端にから生じる光損失（ＬＯＬ）信号を検出する。その後、ノード１２ｃは、障害に関する情報をネットワーク１０のＮＭＳに対して通信し、次に、ＮＭＳは、ノード１２ｂおよび／または１２ｃを含むネットワーク１０の適切な要素に対して、ノード１２ｂおよび１２ｃ間で障害が発生した旨を示すエラーメッセージを送る。しかしながら、一般的に、ネットワーク１０の適切な要素が、任意の適切なやり方で障害を検出してもよく、障害に関する情報をネットワーク１０の他の適切な要素に対して任意の適切なやり方で流してもよい。
【０１３５】
第２の障害に応答して、ネットワーク１０の図示の実施形態において、ノード１２ｂは、作業トラフィックストリーム４１０ｂに関連した保護トラフィックの送信を開始する。より特定的には、ノード１２ｂは、保護トラフィックストリーム４２０ｂをノード１２ｃに対して、第２のファイバ１８上で反時計回り方向に送信する。ノード１２ｄは、この保護トラフィックストリーム４２０ｂを、作業トラフィックストリーム４１０ｂについて送信された保護トラフィックに関連した所定の波長であるλ２で送信する。保護トラフィックストリーム４２０ｂは、作業トラフィックストリーム４１０ｂと同一または実質的に同一の情報を含む。
【０１３６】
また、ノード１２ｄは、第２の障害に応答して、再生成要素２２０を、保護トラフィックストリーム４２０ｂを再生成するように再構成してもよい。特に、ノード１２ｄは、再生成要素２２０のフィルタ１００を、波長λ２で伝播する信号が再生成要素２２０の第１のトランスポンダ２３６ａを通過することができるように調節してもよい。ノード１２ｄは、適宜、再生スイッチ２３８を閉じて、第１のトランスポンダ２３６ａからの信号が第２のトランスポンダ２３６へ伝播することができるようにする。同様に、ノード１２ｄは、適宜、第１のトランスポンダ２３６ａを、波長λ２の信号を受信するように再構成してもよい。その結果、再生成要素２２０の第１のトランスポンダ２３６ａは、保護トラフィックストリーム４２０ｂを受信して、保護トラフィックストリーム４２０ｂに基づいて電気信号を生成する。第１のトランスポンダ２３６ａは、この電気信号を第２のトランスポンダ２３６ｂに対して再生成スイッチ２３８を通じて送信する。
【０１３７】
特定の一実施形態において、ノード１２ｄは、また、第２の障害に応答して再生成要素２２０を再構成することの一部として、再生成されたトラフィックストリーム４３０ｂを保護トラフィックストリーム４２０ｂが送信されたのと同一の波長、すなわちλ２で第２のトランスポンダ２３６ｂが送信するように、再生成要素２２０の第２のトランスポンダ２３６ｂを調節してもよい。上記のように、一代替実施形態において、再生成要素２２０の第２のトランスポンダ２３６ｂは、すべての再生成されたトラフィックを所定の波長λＲで送信してもよい。結果として、そのような代替実施形態は、調節可能または可能でないような第２のトランスポンダ２３６ｂについての要素を使用してもよい。
【０１３８】
再生成要素２２０の第２のトランスポンダ２３６ｂは、第１のトランスポンダ２３６ａから受信した電気信号に基づいて、再生成されたトラフィックストリーム４３０ｂの送信を開始する。再生成されたトラフィックストリーム４３０ｂの内容は、保護トラフィックストリーム４２０ｂの内容と同一または実質的に同一であるが、再生成されたトラフィックストリーム４３０ｂの信号強度は、保護トラフィックストリーム４２０ｂの信号強度より大きい。よって、再生成されたトラフィックストリーム４３０ｂの信号強度は、保護トラフィックストリーム４２０ｂおよび再生成されたトラフィックストリーム４３０ｂによって横断された総距離にもかかわらず、再生成されたトラフィックストリーム４３０ａをノード１２ｂが受信および使用するのに充分に強い場合がある。
【０１３９】
加えて、第２の障害に応答して、ノード１２ｃは、第２の障害以前に作業トラフィックストリーム４１０ｂを受信していたノード１２ｃのドロップ要素２３０を、当該ドロップ要素２３０に関連した受信器１０２が第２のファイバ１８からトラフィックを受信するように再構成する。特に、ノード１２ｂは、該当するドロップ要素２３０の再生成スイッチ２３８を切り換えて、当該ドロップ要素２３０が第２のファイバ１８に結合するようにする。また、この再構成には、適宜、該当するドロップ要素２３０のフィルタ１００および受信器１０２を、再生成されたトラフィックストリーム４３０ｂが送信された波長においてトラフィックを受信するように復帰させることを伴ってもよい。
【０１４０】
再構成の結果として、再生成されたトラフィックストリーム４３０ｂは、作業トラフィックストリーム４１０ｂを以前に受信していたドロップ要素２３０に関連したフィルタ１００を通過し、当該ドロップ要素２３０に関連した送信器１０４は、当該トラフィックの光信号を電気信号に変換して、ノード１２ｃまたはノード１２ｃに結合された要素による使用に供する。よって、ノード１２ｃは、ファイバ１６における第２の障害にもかかわらず、ノード１２ｂによって送信された情報を受信する。加えて、保護されたトラフィックを再生成するという理由で、ノード１２ｃは、ノード１２ｃによる使用に充分な信号強度で当該情報を受信する。
【０１４１】
よって、ノード１２の特定の実施形態における再生成要素２２０は、再生成要素２２０によって再生成されるべき波長が動的に決定されながら、動作中に再構成されてもよい。再生成要素２２０は、動作中に再構成されて、複数の波長のいずれも受信および再生成するように動作可能なので、ネットワーク１０は、これらの複数の波長を再生成するための共通の再生成要素２２０を使用できてもよい。これにより、ネットワーク１０上の所定数のチャンネルについての再生成を支援するのに必要な再生成要素２２０の数を削減してもよい。特に、１つの障害のみが任意の所定の時間においてネットワーク１０に影響を与えるとすると、ネットワーク１０は、ネットワーク１０の任意のスパン上で作業トラフィックストリーム４１０によって使用される周波数の最大数と同数の再生成要素２２０を使用して、ネットワーク１０上で送信されるすべての作業トラフィックストリーム４１０について再生成された保護トラフィックストリーム４２０を支援できるようにしてもよい。この説明の目的のために、「スパン」は、ネットワーク１０の任意の２つの隣接するノードを接続するファイバ１６および１８両方の部分を表わす。図７は、この点を示す一例をより詳細に提供する。
【０１４２】
図７は、５つの作業トラフィックストリーム４１０ａ〜４１０ｅを生成している間のネットワーク１０の動作を示す。この例において、ネットワーク１０の任意の１つのスパンにおいて作業トラフィックストリーム４１０について使用される波長の最大数は３である（ノード１２ａおよび１２ｂ間）。よって、この例において、ネットワーク１０は、どこに障害が生じたかに関わらず、特定の障害によって影響を受ける任意の作業トラフィックストリーム４１０についての再生成された保護トラフィックストリーム４２０の支援を、３つの再生成要素２２０だけによって行うことができる。
【０１４３】
図４〜図７は、保護トラフィックストリーム４２０の再生成におけるネットワーク１０の動作を示すが、上述の技法は、ネットワーク１０上を送信される任意の適切なトラフィックストリームに対して適用してもよい。例えば、ネットワーク１０の特定の一実施形態において、ソースノード１２および宛先ノード１２は、著しいく離れていてもよい。そのような実施形態において、作業トラフィックストリーム４１０および保護トラフィックストリーム４２０は共に、ソースノード１２および宛先ノード１２間のそれぞれのパスに沿って再生成されてもよく、および／または、作業トラフィックストリーム４１０が保護トラフィックストリーム４２０の代わりに再生成されてもよい。さらに、これらの再生成技法を特定の保護手法に関して説明する一方で、上述の再生成技法は、異なる保護手法を利用する、またはいかなる保護手法も利用しない特定のネットワーク１０において実施されてもよい。一般的に、上述の再生成技法は、ネットワーク１０の任意の適切な実施形態によって使用されて、当該ネットワーク１０上を送信される任意の適切な信号を再生成されてもよい。
【０１４４】
図８〜図１１は、トラフィックストリームを送信して、ネットワーク１０上を互いに異なる波長において伝播する第１の光トラフィックストリームと第２の光トラフィックストリームとを保護する際の、図１に示すネットワークの特定の一実施形態の動作を示す。図８〜５Ｄに示すように、任意の特定のノード１２は、再生成要素２２０を含んでも含まなくてもよい。ネットワーク１０は、図示の実施形態において、ネットワーク１０上を送信される作業トラフィックストリーム５１０についての波長共有保護手法を支援する。より特定的には、ノード１２は、任意の利用可能な波長においてトラフィックを受信するように動的に再構成可能である。その結果、ノード１２は、複数の作業トラフィックストリーム５１０について共通の波長上で保護トラフィックストリーム５２０を送信できる。
【０１４５】
よって、ノード１２は、伝送されたそれぞれの作業トラフィックストリーム５１０のため、プロテクショントラフィックストリーム５２０にたいして、分離波長を排他的に、充てることの要求されることはない。
【０１４６】
代わりに、ノード１２は、１つまたはそれ以上の共有された保護波長において保護トラフィックストリーム５２０を送信することによって、作業トラフィックストリーム５１０を保護することができてもよい。
【０１４７】
特定の一実施形態において、ノード１２は、ネットワーク１０が支援する複数の波長のうちの任意の波長において作業トラフィックストリーム５１０を送信する。作業トラフィックストリーム５１０が送信される波長を、本明細書においては「作業波長」と称する。特定の作業トラフィックストリーム５１０が送信される作業波長は、任意の適切なやり方で決定されてもよい。例えば、特定の一実施形態において、特定のソースノード１２が、作業トラフィックストリーム５１０の宛先ノード１２に基づいて、特定の作業トラフィックストリーム５１０を特定の作業波長において送信する。
【０１４８】
さらに、作業波長は、１つまたはそれ以上の割り当て群にグループ化されてもよく、各割り当て群には、「保護波長」が割り当てられる。この割り当ての結果として、特定の作業トラフィックストリーム５１０を置き換えるために送信された保護トラフィックストリーム５２０は、該当する作業トラフィックストリーム５１０に関連した保護波長に基づいて決定された波長で送信されることになる。ネットワーク１０の特定の実施形態において、任意の所定の時間において任意の割り当て群内の１つの作業トラフィックストリーム５１０のみが保護されてもよいが、ノード１２は、ネットワーク１０上で生じた障害に応答して、特定の波長で送信された保護トラフィックストリーム５２０を使用した第１の作業トラフィックストリーム５１０の保護と、同一の波長で送信された保護トラフィックストリーム５２０を使用した第２の作業トラフィックストリーム５１０の保護とで移行するように再構成されてもよい。図８〜図１１は、この処理を説明するための一例をより詳細に提供する。
【０１４９】
図８は、ノード１２ａ〜１２ｅを含む当初の構成に従った、ネットワーク１０の一実施形態の動作の一例を示す。図示の例において、ネットワーク１０は、第１のファイバ１６と、第２のファイバ１８とを使用して、作業トラフィックストリーム５１０を伝播する。よって、作業トラフィックストリーム５１０は、ネットワーク１０の本実施形態例においては、時計回りおよび反時計回り両方の方向で送信されてもよい。保護トラフィックストリーム５２０は、本実施形態例においては、関連した作業トラフィックストリーム５１０から反対の方向へ送信される。加えて、作業トラフィックストリーム５１０および保護トラフィックストリーム５２０は、該当するノード１２によって送信され、適宜、第１のファイバ１６または第２のファイバ１８上を伝播するＷＤＭ信号またはＤＷＤＭ信号に対してアドされる。
【０１５０】
図示の例において、ノード１２ａは、作業トラフィックストリーム５１０を、ノード１２ａによって生成されたまたはノード１２ａのローカルポート９０においてノード１２ａによって受信された信号を搬送する第１のファイバ１６に沿って時計回りにノード１２ｂに対して送信する。ノード１２ａは、このトラフィックストリームを、ノード１２ｂまたはノード１２ｂの特定のローカルポート９０に関連した波長である、ここではλ１とする波長において送信する。ノード１２ａは、この波長を任意の適切なやり方で決定してもよい。図示の例において、ノード１２ｂもまた、作業トラフィックストリーム５１０ｂを、ノード１２ｂによって生成されたまたはノード１２ｂのソースローカルポート９０において受信された信号に基づいて、第２のファイバ１８に沿って反時計回りにノード１２ｂに対して送信する。ノード１２ｂは、この作業トラフィックストリーム５１０ｂを、任意の適切なやり方で決定された波長である、ここではλ１とする波長において送信する。
【０１５１】
加えて、この例において、ノード１２ａは、ノード１２ａのローカルポート９０において受信された信号に基づいて、作業トラフィックストリーム５１０ｃを、第２のファイバ１８に沿って反時計回りにノード１２ｆに対して同時に送信する。ノード１２ｆもまた、ノード１２ｆのローカルポート９０において受信された信号に基づいて、作業トラフィックストリーム５１０ｄを、第１のファイバ１６に沿って時計回りにノード１２ａに対して送信する。
【０１５２】
ノード１２ｂは、作業トラフィックストリーム５１０ａを含む第１のファイバ１６上の光信号を受信する。ノード１２ｂは、作業トラフィックストリーム５１０ａを含む光信号を、図２に関して上述したように、ノード１２ｂの１つまたはそれ以上のドロップ要素２３０に対して転送する。作業トラフィックストリーム５１０ａについての１つまたはそれ以上の宛先ドロップ要素２３０は、作業トラフィックストリーム５１０ａが送信された波長であるλ１において第１のファイバ１６からのトラフィックを受信するように構成されてもよい。より特定的には、特定のドロップ要素２３０の調節可能なフィルタ１００は、λ１において伝播するトラフィックを受信して、当該トラフィックの光信号を電気信号に変換してノード１２ｂまたはノード１２ｂに結合された要素による使用に供するように調節されてもよい。ノード１２ｂ，１２ｆ，および１２ａは、同様のやり方で、作業トラフィックストリーム５１０ｂ，５１０ｃ，および５１０ｄをそれぞれ受信する。
【０１５３】
図９は、ノード１２ａからノード１２ｂへの作業トラフィックストリーム５１０ａの送信と、ノード１２ｂからノード１２ａへの作業ストリーム５１０ｂの送信とを妨害する障害または他の発生に続くネットワーク１０の動作を示す。ネットワーク１０の図示の実施形態において、ネットワーク１０の適切な要素が、障害を検出して、当該障害に関する情報をネットワーク１０における１つまたはそれ以上のノード１２に対して通信する。例えば、ノード１２ｂのＥＭＳ１２４が、ノード１２ａからのノード１２ｂによって受信される１つまたはそれ以上の信号の終端から生じたＬＯＬ信号を検出してもよく、および／または、ノード１２ａのＥＭＳ１２４が、ノード１２ｂからのノード１２ａによって受信される１つまたはそれ以上の信号の終端から生じたＬＯＬ信号を検出してもよい。
【０１５４】
その後、ノード１２ａおよび／またはノード１２ｂは、ネットワーク１０のＮＭＳ１２６に対して障害に関する情報を通信し、次に、ＮＭＳ１２６は、ノード１２ａおよび／またはノード１２ｂを含む、ネットワーク１０の適切な要素に対して、ノード１２ａおよびノード１２ｂの間で障害が生じた旨を示すエラーメッセージを送る。
【０１５５】
しかしながら、一般的に、任意の適切なやり方で障害を検出してもよく、障害に関する情報を適切な要素に対して任意の適切なやり方で流してもよい。
【０１５６】
障害に応答して、ネットワーク１０の図示された実施形態において、ノード１２ａおよびノード１２ｂは、作業トラフィックストリーム５１０ａおよび５１０ｂを置き換えるための保護トラフィックの送信を開始する。特に、ノード１２ａおよびノード１２ｂは、作業トラフィックストリーム５１０ａおよび５１０ｂの作業波長に関連した保護波長を決定する。ノード１２ａおよび１２ｂは、関連した保護波長を任意の適切なやり方で決定してもよい。
【０１５７】
ネットワーク１０の特定の一実施形態において、各ノード１２は、関連作業トラフィックストリーム５１０が送信された波長に基づいて保護トラフィックストリーム５２０を送信するための保護波長を特定する、メモリ１２０に記憶された割り当てテーブルを含む。より特定的には、そのような一実施形態において、作業トラフィックストリーム５１０を送信するためにネットワーク１０によって使用される各作業波長は、割り当てテーブルにおける割り当て群に関連付けられる。次に、さらに、各割り当て群は、保護波長と関連付けられる。その結果、各作業波長は、同一の割り当て群において１つまたはそれ以上の作業波長に共有される割り当てテーブルにおける保護波長に関連付けられる。各ノード１２は、当該作業トラフィックストリーム５１０が送信される作業波長に基づいて、特定の作業トラフィックストリーム５１０についての保護トラフィックストリーム５２０を送信する保護波長を割り当てテーブルを使用して決定するための論理を追加的に含んでもよい。論理は、ディスクまたは他のコンピュータ読み取り可能な媒体において符号化されたソフトウェア、および／または、アプリケーション専用集積回路（ＡＳＩＣ）、書き込み可能ゲートアレイ（ＦＰＧＡ）、もしくは他のプロセッサまたはハードウェアにおいて符号化された命令を備えてもよい。この例における割り当てテーブル（図示せず）は、波長λ１において第１のファイバ１６上を送信された作業トラフィックストリーム５１０が保護波長λＮに関連した割り当て群に割り当てられて、第２のファイバ１８上を送信される旨を示すように想定されている。
【０１５８】
トラフィックストリーム５１０ａおよび５１０ｂが割り当てられる割り当て群に関連した保護波長が、例えばノード１２ａに割り当てられると決定した後に、この例では、ノード１２ａは、ノード１２ａの適切な要素を再構築して、そうでなければ作業トラフィックストリーム５１０ａにおいて送信されたであろう情報を、保護トラフィックストリーム５２０ｂにおいて、波長λＮで第２のファイバ１８上を時計回りの方向に送信することを開始する。再構成の一部として、ノード１２ａは、作業トラフィックストリーム５１０ａを送信する特定の付加要素２４０における送信器１０４を再調節して、第２のファイバ１８上をλＮで保護トラフィックストリーム５２０ａを送信することを促進してもよい。加えて、ノード１２ｂは、ノード１２ｂの適切な要素を再構成して、第２のファイバ１８上で保護波長λＮで保護トラフィックストリーム５２０ａに関した情報の受信を開始する。この再構成の一部として、ノード１２ａは、宛先ローカルポート９０に関連したフィルタ１００を再調節して、保護波長内のトラフィックを宛先ローカルポート９０に関連した特定の受信器１０２へ通すようにしてもよい。加えて、適宜、ノード１２ｂは、宛先ローカルポート９０に関連した受信器１０２を再調節して、受信器１０２が波長λＮにおける光トラフィックを検出および／または受信できるようにしてもよい。結果として、宛先ローカルポート９０は、保護トラフィックストリーム５２０ａの受信を開始する。
【０１５９】
ネットワーク１０の図示の実施形態における障害が作業トラフィックストリーム５１０ｂも妨害するので、ノード１２ｂおよび１２ａは、また、同様のやり方で再構成して、第１のファイバ１６上の保護トラフィックストリーム５２０ｂの送受信をそれぞれ促進する。この例において、作業トラフィックストリーム５１０ｂは、作業トラフィックストリーム５１０ａと同一の作業波長λ１において送信されている。同様に、保護トラフィックストリーム５２０ｂは、保護波長λＮで送信される。よって、ノード１２ｂおよび１２ａは、ノード１２ｂおよび１２ａの適切な要素を再構成して、図９に示すような波長λＮでの保護トラフィックストリーム５２０ｂの送受信を開始する。
【０１６０】
図１０は、ノード１２ａからノード１２ｂへの作業トラフィックストリーム５１０ａの送信を妨害する第２の障害に続くネットワーク１０の動作を示す。上記のように、簡略化のために、ネットワーク１０は、任意の所定の時間において１つの障害のみを受けやすいものとする。その結果、この第２の障害は、第１の障害および／または任意の他の以前の障害を補正するのに取られる任意の適切な救済措置に続いて生じるものとする。
【０１６１】
ネットワーク１０の図示の実施形態において、ノード１２ｆまたは１２ａのＥＭＳは、当該ノード１２によって受信されている１つまたはそれ以上の光信号の終端から生じる光損失（ＬＯＬ）信号を検出する。その後、ノード１２ｃは、障害に関する情報をネットワーク１０のＮＭＳに対して通信し、次に、ＮＭＳは、ノード１２ｂおよび／または１２ｃを含むネットワーク１０の適切な要素に対して、ノード１２ａおよび１２ｆ間で障害が発生した旨を示すエラーメッセージを送る。しかしながら、一般的に、ネットワーク１０の適切な要素が、任意の適切なやり方で障害を検出してもよく、障害に関する情報をネットワーク１０の他の適切な要素に対して任意の適切なやり方で流してもよい。
【０１６２】
第２の障害に応答して、ノード１２ａは、作業トラフィックストリーム５１０ｃおよび５１０ｄを置き換えるための保護トラフィックの送信を開始する。より特定的には、ノード１２ａおよび１２ｆは、共にλ２で送信される作業トラフィックストリーム５１０ｃおよび５１０ｄの作業波長に関連した保護波長を決定する。ノード１２ａおよび１２ｆは、関連した保護波長を任意の適切なやり方で決定してもよい。上記のように、ノード１２は、ネットワークによって使用される各作業波長についての保護波長を指定する割り当てテーブルをそれぞれ含んでもよい。図示の例において、λ２は、λ１のように、本例においては、割り当てテーブルにおいて保護波長λＮに関連しているものとする。よって、ノード１２ａおよび１２ｆは、ノード１２ａおよび１２ｆの適切な要素を再構成することによって、第２の障害に応答して、保護波長λＮにおける保護トラフィックストリーム５２０ｃおよび５２０ｄの送受信を促進する。上述のように、この再構成は、ノード１２ａおよび１２ｆの適切なフィルタ１００、送信器１０２、および／または受信器１０４の再調節を含んでもよい。
【０１６３】
よって、上述のように、ノード１２は動作中に再構成できるので、ノード１２ａおよび１２ｆは、ノード１２ａおよび１２ｂが保護ストリーム５２０ａおよび５２０ｂを送信するために使用したように、保護ストリーム５２０ｃおよび５２０ｄを送信するために同一の波長λＮを使用することができる。その結果、ネットワーク１０は、単一の保護波長を使用して複数の作業波長を保護することができてもよい。結果として、ネットワーク１０の特定の実施形態は、各作業波長について保護波長を提供する以前の保護手法よりも効率的な、ネットワーク１０上で利用可能な帯域幅の利用を提供してもよい。
【０１６４】
特に、任意の所定の時間において１つの障害のみがネットワーク１０に影響を与えるとすると、ネットワーク１０は、ネットワーク１０の任意のスパンにおける作業トラフィックストリーム５１０によって使用される作業波長の最大数と同数の保護波長を使用して、ネットワーク１０上を送信されるすべての作業トラフィックストリーム５１０について、保護トラフィックストリーム５２０を支援することができてもよい。以下の図１１は、この点をより詳細に示す一例を提供する。
【０１６５】
図１１は、６つの作業トラフィックストリーム５１０ａ〜５１０ｆを生成している間のネットワーク１０の動作を示す。この例において、ネットワーク１０の任意の１つのスパンにおいて作業トラフィックストリーム５１０について使用される作業波長の最大数は２である（ノード１２ａおよび１２ｂ間）。よって、この例において、ネットワーク１０は、２つの別個の保護波長を使用して、特定の障害によって影響を受けた任意の作業トラフィックストリーム５１０についての保護トラフィックストリーム５２０を支援することができるだろう。
【０１６６】
よって、ネットワーク１０の特定の実施形態は、複数の作業波長が単一の保護波長によって保護されるトラフィック保護手法を支援してもよい。そのような保護手法は、作業チャンネルの所定の数を保護するのに必要な保護チャンネルの数を削減することによって、ネットワーク帯域幅をより効率的に使用することになる。結果として、ネットワーク１０の特定の実施形態は、これらおよび／または他の動作利点を提供してもよい。
【０１６７】
図１２〜図１４は、保護波長の対において送信された保護トラフィックストリーム６２０を使用して、作業トラフィックストリーム６１０の２つ以上の対を保護する、ネットワーク１０の特定の一実施形態の動作を示す。特に、作業トラフィックストリーム６１０は、作業トラフィック対６４０にグループ化され、作業トラフィック対６４０は、複数の作業波長対のうちの１つの第１の波長において送信された各対の第１の作業トラフィックストリーム６１０と、同一の作業波長対の第２の波長において送信された第２の作業トラフィックストリーム６１０とを有する。これらの「作業波長対」は、任意の２つの作業波長を含んでもよく、特定の作業トラフィック対６４０は、任意の適切なやり方で決定される作業波長対において送信されてもよい。
【０１６８】
さらに、図示の例において、ネットワーク１０によって使用される各作業波長対は、割り当て群に割り当てられて、各割り当て群は、本明細書において「保護波長対」と称される保護波長の対に関連付けられる。より特定的には、各作業波長対の１つの作業波長は、割り当てられた保護波長対の１つの保護波長に関連付けられ、当該作業波長対の他の作業波長は、割り当てられた保護波長対の他方の保護波長に関連付けられる。さらに、複数の作業波長対に、所定の保護波長対が割り当てられてもよい。結果として、保護波長の対が割り当てられて作業波長の対を保護し、複数の作業波長対が、各保護波長対を共有してもよい。
【０１６９】
図１２は、ノード１２ａ〜１２ｅを含むネットワーク１０の一実施形態の動作の例を示す。図示の例において、ネットワーク１０は、第１のファイバ１６と、第２のファイバ１８とを使用して、作業トラフィックストリーム６１０を伝播する。本実施形態例において、保護トラフィックストリーム６２０は、関連した作業トラフィックストリーム６１０から反対方向に送信される。加えて、作業トラフィックストリーム６１０および保護トラフィックストリーム６２０は、特定のノード１２によって生成され、適宜、第１のファイバ１６または第２のファイバ１８上で伝播するＷＤＭ信号またはＤＷＤＭ信号にアドされる。
【０１７０】
図示の例において、ノード１２ａは、第１の作業トラフィックストリーム６１０ａを、ノード１２ａが生成した、またはノード１２ａのローカルポート９０においてノード１２ａが受信した信号を搬送する第１のファイバ１６に沿って時計回りにノード１２ｂへ送信する。ノード１２ｂは、また、作業トラフィックストリーム６１０ｂを、第２のファイバ１８に沿って反時計回りに送信する。この例において、作業トラフィックストリーム６１０ａおよび６１０ｂは、作業トラフィック対６４０ａを形成する。作業トラフィック対６４０は、それぞれ、任意の適切な基準に基づいて互いに関連付けられる作業トラフィックストリーム６１０の対を含んでもよい。例えば、図示の例において、各作業トラフィック対６４０は、電話の呼び出しのような、２つのノード１２間を通信される特定の通信セッションに関連付けられる２つのトラフィックストリーム６１０を含み、各トラフィックストリーム６１０は、ネットワーク１０上の特定の方向における通信ストリーム６１０からの通信を搬送する。
【０１７１】
さらに、ノード１２ａおよび１２ｂは、特定の作業波長対の異なる作業波長における各作業トラフィックストリーム６１０ａおよび６１０ｂをそれぞれ送信する。ネットワーク１０上で使用される各作業波長対は、２つの作業波長を含み、これらは、本明細書においては、もっぱら図示の目的で、作業波長対の「第１の作業波長」および「第２の作業波長」と称される。作業トラフィック対６４０ａを送信するための適切な作業波長対は、任意の適切なやり方で決定されてもよい。図６に示すように、ノード１２ａおよび１２ｂは、λ１およびλ２を含む作業波長対において作業トラフィック対６４０ａを送信する。より特定的には、ノード１２ａは、作業波長λ１において作業トラフィックストリーム６１０ａを送信し、ノード１２ｂは、作業波長λ２において作業トラフィックストリーム６１０Ｂを送信する。
【０１７２】
加えて、ノード１２ａは、作業トラフィックストリーム６１０ｃを第２のファイバ１８に沿って反時計回りにノード１２ｆに対して同時に送信する。また、ノード１２ｆは、作業トラフィックストリーム６１０ｄを第１のファイバ１６に沿って時計回りにノード１２ａに対して送信する。図示のように、作業トラフィックストリーム６１０ｃおよび６１０ｄは、作業トラフィック対６４０ｂを形成する。ノード１２ｆおよび１２ａは、作業トラフィック対６４０ｂを、任意の適切なやり方で決定されてもよい作業波長対上で送信する。図示の例において、ノード１２ｆおよび１２ａは、作業トラフィック対６４０ｂをλ３およびλ４を含む作業波長対において送信する。より特定的には、ノード１２ｆは、作業トラフィックストリーム６１０ｃを作業波長λ３において送信し、ノード１２ａは、作業トラフィックストリーム６１０ｄを作業波長λ４において送信する。
【０１７３】
作業トラフィックストリーム６１０の受信に関して、ノード１２ｂは、作業トラフィックストリーム６１０ａを含む第１のファイバ１６上の光信号を受信する。ノード１２ｂは、図２に関して上述したように、作業トラフィックストリーム６１０ａを含む当該光信号をノード１２ｂの１つまたはそれ以上のドロップ要素２３０に転送する。作業トラフィックストリーム６１０ａの１つまたはそれ以上の宛先ドロップ要素２３０は、作業トラフィックストリーム６１０ａが送信された波長であるλ１において、第１のファイバ１６からトラフィックを受信するように構成されてもよい。より特定的には、特定のドロップ要素２３０の調節可能なフィルタ１００が、作業トラフィックストリーム６１０ａの波長であるλ１において伝播するトラフィックを通すように調節されてもよく、当該ドロップ要素２３０の受信器１０２が、λ１において伝播するトラフィックを受信して、当がトラフィックの光信号を電気信号に変換して、ノード１２ｂまたはノード１２ｂに結合された要素による使用に供するように調整されてもよい。ノード１２ｂ，１２ｆ，および１２ａは、同様のやり方で、それぞれ、作業トラフィックストリーム６１０ｂ，６１０ｃ，および６１０ｄを受信する。
【０１７４】
図１２は作業トラフィック対６４０がノード１２ａと、各ノード１２ｂおよび１２ｆとの間で送信される一例が示されているが、ネットワーク１０の特定の一実施形態は、任意の数のノード１２間で送信される任意の数の作業トラフィック対６４０を支援してもよい。さらに、作業トラフィック対６４０は、同一の２つのノード１２間、１つの共通ノード１２と２つの他の別個のノード１２間、および／またはノード１２の２つの別個の対間で送信されてもよい。一般的に、２つまたはそれ以上のノードが、説明した保護技法を使用して作業トラフィック対６４０を送信してもよい。
【０１７５】
図１３は、作業トラフィック対６４０ａにおいて両方のトラフィックストリーム６１０の送信を妨害する障害または他の発生に続くネットワーク１０の動作を示す。ネットワーク１０の図示された実施形態において、ネットワーク１０の適切な要素が障害を検出して、上述のように、当該障害に関する情報をネットワーク１０における１つまたはそれ以上のノード１２に対して通信する。一般的に、ネットワーク１０の適切な要素が、任意の適切なやり方で障害を検出して、障害に関する情報を適切な要素に対して任意の適切なやり方で流してもよい。
【０１７６】
障害に応答して、ネットワーク１０の図示の実施形態において、ノード１２ａおよびノード１２ｂは、保護トラフィックの送信を開始して、作業トラフィックストリーム６１０ａおよび６１０ｂを置き換える。特に、ノード１２ａおよび１２ｂは、作業トラフィック対６４０ａの作業波長対に関連した保護波長対を決定する。ノード１２ａおよび１２ｂは、関連した保護波長を任意の適切なやり方で決定してもよい。特定の作業波長対が、任意の適切なやり方で任意の適切な基準に基づいて保護波長対に関連付けられてもよく、これらの割り当てを特定する情報は１つまたはそれ以上のノード１２に記憶されてもよい。
【０１７７】
上述のように、ノード１２は、関連した作業トラフィック対６４０を送信した作業波長対に基づいて保護トラフィック対６２０を送信する保護波長対を特定する、メモリに記憶された割り当てテーブルをそれぞれ含んでもよい。作業トラフィック対６４０についてネットワーク１０によって使用される各作業波長対は、割り当て群に割り当てられ、結果として、同一の割り当て群における１つまたはそれ以上の他の作業波長対と共有されてもよい保護波長対に関連付けられる。各ノード１２は、割り当てテーブルを使用して、作業トラフィックストリーム６１０を送信する作業波長に基づいて、特定の作業トラフィックストリーム６１０についての保護トラフィックストリーム６２０を送信する保護波長を決定するための論理を追加的に含んでもよい。論理は、ディスクまたは他のコンピュータ読み取り可能な媒体において符号化されたソフトウェア、および／または、アプリケーション専用集積回路（ＡＳＩＣ）、書き込み可能ゲートアレイ（ＦＰＧＡ）、もしくは他のプロセッサまたはハードウェアにおいて符号化された命令を備えてもよい。本例における割り当てテーブル（図示せず）は、作業波長ストリーム６４０ａについての作業波長対λ１およびλ２が、λＮおよびλＮ＋１の保護波長対に関連した割り当て群に割り当てられる旨を示すものとする。さらに、割り当てテーブルは、作業波長対内において、作業波長λ１が保護波長λＮに関連付けられ、作業波長λ２が保護波長λＮ＋１に関連付けられている旨を示すものとする。
【０１７８】
該当する作業波長対の割り当て群に関連付けられた保護波長対を決定し、かつ各作業波長についての保護波長対から適切な保護波長を決定した後に、ノード１２ａは、本例においては、ノード１２ａの適切な要素を再構成して、そうでなければ保護トラフィックストリーム６２０ａおよび６２０ｂを含む保護トラフィック対６５０ａにおける作業トラフィック対６４０ａにおいて送信されたであろう情報の送信を開始する。より特定的には、ノード１２ａは、自身を再構成して、保護トラフィックストリーム６２０ａを、第２のファイバ１８上で反時計回りに保護波長λＮにおいて送信することを開始して、作業トラフィックストリーム６１０を置き換える。加えて、ノード１２ｂは、自身を再構成して、保護トラフィックストリーム６２０ｂを、第１のファイバ１６上で時計回りに保護波長λＮ＋１において送信することを開始する。この再構成の一部として、ノード１２ａおよび１２ｂは、作業トラフィックストリーム６１０を送信する特定の付加要素２４０における送信器１０４を再調節して、適切なファイバ上かつ適切な保護波長での保護トラフィックストリーム６２０の送信を促進してもよい。
【０１７９】
加えて、ノード１２ａおよび１２ｂは、ノード１２ａおよび１２ｂの適切な用を再構成して、上述のように、適切なファイバ上かつ適切な保護波長λＮでの、保護トラフィックストリーム６２０に関連した情報の受信を開始してもよい。この再構成の一部として、ノード１２ａおよび１２ｂは、適切なドロップ要素２３０に関連したフィルタ１００を再調節して、保護波長をのトラフィックを当該ノード１２の特定の受信器１０２へ通すようにしてもよい。加えて、適宜、ノード１２ｂは、当該受信器１０２を再調節して、受信器１０２が適切な保護波長において光トラフィックを検出および／または受信することができるようにしてもよい。
【０１８０】
図１４は、ノード１２ａからノード１２ｆへの作業トラフィックつい６１０ｃおよび６１０ｄの送信を妨害する第２の障害に続くネットワーク１０の動作を示す。上記のように、簡略化のために、ネットワーク１０は、任意の所定の時間において１つの障害のみを受けやすいものとする。その結果、この第２の障害は、第１の障害および／または任意の他の以前の障害を補正するのに取られる任意の適切な救済措置に続いて生じるものとする。
【０１８１】
ノード１２ｆまたは１２ａもしくはネットワーク１０の他の適切な要素のＥＭＳ１２４は、上述のように障害を検出してもよい。第２の障害に応答して、ノード１２ａおよびノード１２ｆは、保護トラフィックの送信を開始して、作業トラフィックストリーム６１０ｃおよび６１０ｄを置き換える。特に、ノード１２ａおよびノード１２ｆは、作業波長λ３およびλ４を含む作業トラフィック対６４０ｂの作業波長対に関連した保護波長を決定する。ノード１２ａおよび１２ｂは、関連した保護波長対を任意の適切なやり方で決定してもよい。上記のように、ノード１２は、図示の実施形態において、それぞれ、各作業波長対についての保護波長対と、特定の作業波長対内に、各作業波長についての当該保護波長対からの保護波長とを特定する割り当てテーブルを含む。図示の例において、λ３およびλ４は、本例の割り当てテーブルにおいて、保護波長λＮおよびλＮ＋１に関連付けられる。より特定的には、λＮは図示の例におけるλ３を保護するために割り当てられ、λＮ＋１はλ４を保護するために割り当てられる。よって、ノード１２ａおよび１２ｆは、ノード１２ａおよび１２ｆの適切な要素を再構成することによって第２の障害に応答して、それぞれ保護波長λＮおよびλＮ＋１での保護トラフィックストリーム６２０ｃおよび６２０ｄの送受信を促進する。上述のように、この再構成は、ノード１２ａおよび１２ｆの適切なフィルタ１００、送信器１０２、および受信器１０４の再調整を含んでもよい。
【０１８２】
ノード１２は、上述のように、動作中に再構成可能であるので、ノード１２ｆおよび１２ａは、関連した作業トラフィック対６４０は互いに異なる作業波長対において送信されたにもかかわらず、保護ストリーム６２０ｃおよび６２０ｄを送信するために、ノード１２ａおよび１２ｂが保護ストリーム６２０ａおよび６２０ｂを送信するために使用したのと同一の保護波長対λＮおよびλＮ＋１をそれぞれ使用することができる。その結果、ネットワーク１０は、保護波長の単一の対を使用して、複数の作業波長対において送信された作業トラフィック対６４０を保護することができてもよい。結果として、ネットワーク１０の特定の実施形態は、保護波長を各作業波長に提供する以前の保護手法よりも効率的な、ネットワーク１０上で利用可能な帯域幅の使用を提供してもよい。加えて、図１２〜図１４は、簡略化のため、２つの作業波長対が保護波長の単一の対によって保護される動作例を示すが、ネットワーク１０の特定の実施形態は、保護波長の各対で２つ以上の作業波長を保護してもよい。さらに、保護波長のさらなる対をネットワーク１０が使用して、他の作業波長対を保護してもよい。  
【０１８３】
本発明をいくつかの実施形態と共に説明してきたが、様々な変更および修正が、当業者に対して提案されてもよい。本発明は、そのような変更および修正を添付された請求項の範囲内に入るとして包含することが意図されている。
【０１８４】
（付記１）
第１の作業波長において送信される第１の作業トラフィックストリームと、第２の作業波長において送信される第２の作業トラフィックストリームから構成された、複数の作業トラフィックストリームは、光リング上で複数の作業波長において送信し、
第１の作業トラフィックストリームにおける妨害に応答して、保護波長内の第１の作業トラフィックストリームに関連した第１の保護トラフィックストリームを送信し、
第１の保護トラフィックストリームおよび第２の保護トラフィックストリームは互いに異なる時間に保護波長を共有するように、第２の作業トラフィックストリームにおける妨害に応答して、保護波長内の第２の作業トラフィックストリームに関連した第２の保護トラフィックストリーム送信する光通信を提供する方法。
【０１８５】
（付記２）
付記１に記載の方法において、
第１の作業トラフィックストリームが伝送される方向と反対の方向の光リング回りに第１の保護トラフィックストリーム送信し、
第２の作業トラフィックストリームが伝送される方向と反対の方向の光リング回りに第２の保護トラフィックストリームを送信する。
【０１８６】
（付記３）
付記１に記載の方法において、
第１の保護トラフィックストリームを送信することは、２つまたはそれ以上のノードを接続する第１のパス上で保護波長において、第１の保護トラフィックストリームを送信することからなり、
第２の保護トラフィックストリームを送信することは、２つまたはそれ以上のノードを接続する第２のパス上で保護波長において、第２の保護トラフィックストリーム送信することを含み、当該第２のパスは少なくとも第１のパスの一部を含む。
【０１８７】
（付記４）
付記１に記載の方法において、
第１の保護トラフィックストリームを送信することは、
保護波長において、第１の保護トラフィックストリームを第１の宛先ノードへ送信することと、第１のフィルタから保護波長において受信したトラフィックを通すように第１の宛先ノードにおける第１のフィルタを調節することと、第１の保護トラフィックストリームを第１のフィルタを通じて第１の受信器へ転送し、第１の受信器において、第１のフィルタの出力に基づいて、第１の宛先ノードにおける第１の電気信号を生成することからなり、
そして
第２の保護トラフィックストリームを送信することは、
保護波長において第２の保護トラフィックストリームを第２の宛先ノードへ送信することと、
第２のフィルタから保護波長において受信したトラフィックを通すように、第２の宛先ノードにおける第２のフィルタを調節することと、
第２の保護トラフィックストリームを第２のフィルタを通じて第２の受信器へ転送することと、
第２の受信器において、第２のフィルタの出力に基づいて、第２の宛先ノードにおける第２の電気信号を生成することからなる。
（付記５）
付記４に記載の方法において、
第１の電気信号を生成することは、
保護波長においてトラフィックを受信するように第１の受信器を調節することと、
第１のフィルタの出力に基づいて、第１の電気信号を第１の受信器で生成することからなり、
第２の電気信号を生成することは、
保護波長においてトラフィックを受信するように第２の受信器を調節することと、
第２のフィルタの出力に基づいて、第２の電気信号を第２の受信器で生成することからなる。
【０１８８】
（付記６）
光ネットワークであって、
光リングは、複数のノードを結合し、光信号の複数の波長のうちの１つにおいて送信されるトラフィックを備えた作業トラフィックストリームを２つまたはそれ以上のノード間で送信するように動作可能であり、
複数のノードは、１つまたはそれ以上のノードは、複数の作業トラフィックストリームを光リング上で複数の作業波長において送信し、当該複数の作業トラフィックストリームは、第１の作業波長において送信される第１の作業トラフィックストリームと、第２の作業波長において送信される第２の作業トラフィックストリームとを備え、
第１の作業トラフィックストリームにおける妨害に応答して、第１の作業トラフィックストリームに関連した第１の保護トラフィックストリームを保護波長にて送信し、
第２の作業トラフィックストリームにおける妨害に応答して、第２の作業トラフィックストリームに関連した第２の保護トラフィックストリームを保護波長において送信するように動作可能であり、第１の保護トラフィックストリームおよび第２の保護トラフィックストリームは、互いに異なる時間に保護波長を共有する。
【０１８９】
（付記７）
付記６に記載の光ネットワークにおいて、光リング上の障害を検出するように動作可能なネットワーク管理システム（ＮＭＳ）をさらに備える。
【０１９０】
（付記８）
付記６に記載の光ネットワークにおいて、１つまたはそれ以上のノードは、
第１の作業トラフィックストリームが送信される方向とは反対の方向に光リング回りに送信することによって、第１の保護トラフィックストリームを送信し、
第２の作業トラフィックストリームが送信される方向とは反対の方向に光リング回りに送信することによって、第２の保護トラフィックストリームを送信するように動作可能である。
【０１９１】
（付記９）
付記６に記載の光ネットワークにおいて、１つまたはそれ以上のノードは、２つまたはそれ以上のノードを接続する第１のパス上で保護波長において第１の保護トラフィックストリームを送信することによって第１の保護トラフィックストリームを送信し、２つまたはそれ以上のノードを接続する第２のパス上で保護波長において第２の保護トラフィックストリームを送信することによって第２の保護トラフィックストリームを送信するように動作可能であり、第２のパスは、第１のパスの少なくとも一部を備える。
【０１９２】
（付記１０）
付記６に記載の光ネットワークにおいて、１つまたはそれ以上のノードは、第１のノードと、第２のノードとを含み、第１のノードは、第１の保護トラフィックストリームを保護波長において第２のノードへ送信するように動作可能であり、第２のノードは、第２の保護トラフィックストリームを保護波長において第１のノードへ送信するように動作可能であり、
第１のノードは、
第１のフィルタによって保護波長において受信されたトラフィックを通すように第１のフィルタを調節し、
第２の保護トラフィックストリームを第１のフィルタを通じて転送し、
第１のフィルタの出力に基づいて、第１の電気信号を生成するようにさらに動作可能であり、第２のノードは、
第２のフィルタによって保護波長において受信されたトラフィックを通すように第２のフィルタを調節し、
第１の保護トラフィックストリームを第２のフィルタを通じて転送し、
第２のフィルタの出力に基づいて、第２の電気信号を生成するようにさらに動作可能である。
【０１９３】
（付記１１）
付記１０に記載の光ネットワークにおいて、
第１のノードは、保護波長においてトラフィックを受信するように第１の受信器を調節することと、第１のフィルタの出力に基づいて第１の電気信号を第１の受信器で生成することとによって、第１の電気信号を生成するようにさらに動作可能であり、
第２のノードは、保護波長においてトラフィックを受信するように第２の受信器を調節することと、第２のフィルタの出力に基づいて第２の電気信号を第２の受信器で生成することとによって第２の電気信号を生成するようにさらに動作可能である。
【０１９４】
（付記１２）
複数のノードを備える光リングネットワークにおいて光通信を提供するための方法であって、
複数の作業トラフィック対を送信することであって、
当該各作業トラフィック対は、当該複数の作業波長対のうちの１つの作業波長対の第１の作業波長において特定のノードの対の間の第１の方向に伝送される第１の作業トラフィックと、当該複数の作業波長対のうちの１つの作業波長対の第２の作業波長において特定のノードの対の間の第２の方向に伝送される第２の作業トラフィックとを有し、当該複数の作業波長対のそれぞれは、２つの作業波長の独自の組合せを含んでおり、
第１の作業トラフィック対における妨害に応答して第１の作業トラフィック対に関連した第１の保護トラフィック対を送信することであって、
当該第１の保護トラフィック対は、保護波長対の第１の保護波長において第１の作業トラフィック対を送信するノードの対間で第１の方向に送信された第１の保護トラフィックストリームと、保護波長対の第２の保護波長において第１の作業トラフィック対を送信するノードの対間で第２の方向に送信された第２の保護トラフィックストリームとを含んでおり、
第２の作業トラフィック対における妨害に応答して第２の作業トラフィック対に関連した第２の保護トラフィック対を送信することであって、当該第２の保護トラフィック対は、第１の保護波長において第２の作業トラフィック対を送信するノードの対間で第１の方向に送信された第３の保護トラフィックストリームと、
第２の保護波長において第２の作業トラフィック対を送信するノードの対間で第２の方向に送信された第４の保護トラフィックストリームとを含み、
当該第１の保護トラフィックストリームおよび第３の保護トラフィックストリームは、互いに異なる時間に第１の保護波長を共有し、
当該第２の保護トラフィックストリームおよび第４の保護トラフィックストリームは、互いに異なる時間に第２の保護波長を共有する。
【０１９５】
（付記１３）
付記１２の方法において、
第１の作業トラフィック対を送信するノードの対は、第１のノードと、第２のノードとを備え、第２の作業トラフィック対を送信するノードの対は、第１のノードと、第２のノードとのうちの少なくとも１つを備える。
【０１９６】
（付記１４）
付記１２の方法において、
第１の作業トラフィック対を送信するノードの対は、第１のノードと、第２のノードとを備え、第２の作業トラフィック対を送信するノードの対は、第１のノードと、第２のノードとを備える。
（付記１５）
付記１２の方法において、
第１の作業トラフィック対を送信するノードの対は、第１のノードと、第２のノードとを備え、第２の作業トラフィック対を送信するノードの対は、第１のノードも第２のノードも備えない。
【０１９７】
（付記１６）
付記１２の方法において、
第１の保護トラフィック対を送信することは、第１の作業トラフィック対を送信するノードの対を接続する第１のパス上で第１の保護トラフィック対を送信することを含み、第２の保護トラフィック対を送信することは、第２の作業トラフィック対を送信するノードの対を接続する第２のパス上で第２の保護トラフィック対を送信することを含み、第２のパスは、第１のパスの少なくとも一部を備える。
【０１９８】
（付記１７）
光ネットワークであって、
光リングは、
複数のノードと結合し、かつ作業トラフィックストリームを２つまたはそれ以上のノード間で送信することが可能であり、当該各作業トラフィックストリームは光信号の複数の波長のうちの１つにおいて送信されるトラフィックを備えている、
複数のノードは、
複数の作業トラフィック対を送信し、当該各作業トラフィック対は、複数の作業波長対のうちの１つの作業波長対の第１の作業波長においてノードの対間で第１の方向に送信された第１の作業トラフィックストリームと、当該作業波長対の第２の作業波長において当該ノードの対間で第２の方向に送信された第２の作業トラフィックストリームとを含み、当該複数の作業波長対のそれぞれは２つの作業波長の独自の組合せを含む、
第１の作業トラフィック対における妨害に応答して、第１の作業トラフィック対に関連した第１の保護トラフィック対を送信し、当該第１の保護トラフィック対は保護波長対の第１の保護波長において第１の作業トラフィック対を送信するノードの対間で第１の方向に送信された第１の保護トラフィックストリームと，保護波長対の第２の保護波長において第１の作業トラフィック対を送信するノードの対間で第２の方向に送信された第２の保護トラフィックストリームとを含み、
第２の作業トラフィック対における妨害に応答して、第２の作業トラフィック対に関連した第２の保護トラフィック対を送信するように動作可能であり、第２の保護トラフィック対は、第１の保護波長において第２の作業トラフィック対を送信するノードの対間で第１の方向に送信された第３の保護トラフィックストリームと、第２の保護波長において第２の作業トラフィック対を送信するノードの対間で第２の方向に送信された第４の保護トラフィックストリームとを含み、第１の保護トラフィックストリームおよび第３の保護トラフィックストリームは、互いに異なる時間に第１の保護波長を共有するようにし、第２の保護トラフィックストリームおよび第４の保護トラフィックストリームは、互いに異なる時間に第２の保護波長を共有するようにする。
【０１９９】
（付記１８）
付記１７に記載の光ネットワークにおいて、
第１の作業トラフィック対を送信するノードの対は、第１のノードと、第２のノードとを備え、第２の作業トラフィック対を送信するノードの対は、第１のノードと、第２のノードとのうちの少なくとも１つを備える、。
【０２００】
（付記１９）
付記１７に記載の光ネットワークにおいて、
第１の作業トラフィック対を送信するノードの対は、第１のノードと、第２のノードとを備え、第２の作業トラフィック対を送信するノードの対は、第１のノードと、第２のノードとを備える。
【０２０１】
（付記２０）
付記１７に記載の光ネットワークにおいて、
第１の作業トラフィック対を送信するノードの対は第１のノードと第２のノードとを備え、第２の作業トラフィック対を送信するノードの対は第１のノードと第２のノードを備えない。
【０２０２】
（付記２１）
付記１７に記載の光ネットワークにおいて、
光リング上を送信された作業トラフィックストリームにおける妨害を検出するように動作可能なネットワーク管理システム（ＮＭＳ）をさらに備え、複数のノードは、ＮＭＳが第１の作業トラフィック対において妨害を検出するのに応答して、第１の保護トラフィック対を送信し、ＮＭＳが第２の作業トラフィック対において妨害を検出するのに応答して、第２の保護トラフィック対を送信するように動作可能である。
【０２０３】
（付記２２）
付記１７に記載の光ネットワークにおいて、
複数のノードは、第１の保護トラフィック対を送信するノードの対を接続する第１のパス上で第１の保護トラフィック対を送信することによって、第１の保護トラフィック対を送信するように動作可能であり、複数のノードは、第２の保護トラフィック対を送信するノードの対を接続する第２のパス上で第２の保護トラフィック対を送信することによって、第２の保護トラフィック対を送信するように動作可能である。
【０２０４】
（付記２２）
光通信を提供するための方法であって、
光信号の複数の波長のうちの１つの波長において送信される複数の作業トラフィックストリームを光リング上で送信し、
第１の作業トラフィックストリームの妨害に応答して、第１の波長において、第１の作業トラフィックストリームに関連した第１の保護トラフィックストリームを送信し、
光リングに結合された第１の波長を受信するように調節された再生成要素において、第１の保護トラフィックストリームを選択的に再生成し、
第２の作業トラフィックストリームの妨害に応答して、第２の波長において、第２の作業トラフィックストリームに関連した第２の保護トラフィックストリームを送信し、
第２の波長を受信するように再生成要素を調節し、
第２の保護トラフィックストリームを再生成要素で選択的に再生成する。
【０２０５】
（付記２３）
付記２２に記載の方法において、
複数の作業トラフィックストリームを送信することは、第１の作業トラフィックストリームと第２の作業トラフィックストリームとを光リング回りの第１の方向に送信することを含み、
第１の保護トラフィックストリームを送信することは、第１の保護トラフィックストリームを光リング回りの第２の方向に送信することを含み、
第２の保護トラフィックストリームを送信することは、第２の保護トラフィックストリームを光リング回りの第２の方向に送信することを含む。
【０２０６】
（付記２４）
付記２２に記載の方法において、
第１の保護トラフィックストリームを選択的に再生成することは、第１の波長における第１のトラフィックストリームを再生成要素で選択的に再生成し、
第２の保護トラフィックストリームを選択的に再生成することは、第２の波長における第２のトラフィックストリームを再生成要素で選択的に再生成する。
【０２０７】
（付記２５）
付記２２記載の方法において、
第１の保護トラフィックストリームを選択的に再生成することは、第１の波長とは異なる波長における第１のトラフィックストリームを選択的に再生成し、
第２の保護トラフィックストリームを選択的に再生成することは、第２の波長とは異なる波長における第２のトラフィックストリームを選択的に再生成する。
【０２０８】
（付記２６）
付記２２に記載の方法において、
第１の保護トラフィックストリームを選択的に再生成することは、
第１の波長においてフィルタによって受信されたトラフィックを通過させるように再生成要素のフィルタを調節し、
第１の保護トラフィックストリームをフィルタを通じて転送し、
フィルタの出力に基づいて第１の電気信号を再生成要素の受信器で生成し、
第１の電気信号を送信器で受信し、
送信器から、第１の電気信号に基づく再生成されたトラフィックストリームを送信することを含み、
第２の保護トラフィックストリームを選択的に再生成することは、
第２の波長においてフィルタによって受信されたトラフィックを通過させるようにフィルタを調節し、
第２の保護トラフィックストリームをフィルタを通じて転送し、
フィルタの出力に基づいて第２の電気信号を再生成要素の受信器で生成し、
第２の電気信号を送信器で受信し、
送信器から、第２の電気信号に基づく再生成されたトラフィックストリームを送信することとを含む。
【０２０９】
（付記２７）
付記２６に記載の方法において、
第１の電気信号を生成することは、
第１の波長におけるトラフィックを受信するように受信器を調節し、
フィルタの出力に基づいて、第１の信号を受信器で生成することを含み、
第２の電気信号を生成することは、
第２の波長におけるトラフィックを受信するように受信器を調節し、
フィルタの出力に基づいて、第２の信号を受信器で生成することを含む。
【０２１０】
（付記２８）
光ネットワークであって、
複数のノードを結合し、２つまたはそれ以上のノード間で、複数の作業トラフィックストリームは、第１の作業トラフィックストリームと、第２の作業トラフィックストリームとを含み、光信号の複数の波長のうちの１つの波長において送信されるトラフィックから構成される、複数の作業トラフィックストリームを送信することが可能な光リングと、
第１の作業トラフィックストリームの妨害に応答して、第１の波長において第１の作業トラフィックストリームに関連した第１の保護トラフィックストリームを送信し、第２の作業トラフィックストリームの妨害に応答して、第２の波長において、第２の作業トラフィックストリームに関連した第２の保護トラフィックストリームを送信することが可能な１つまたはそれ以上の当該複数のノードと、
光リングに結合され、
第１の保護トラフィックストリームを選択的に再生成し、第２の作業トラフィックストリームの妨害に応答して第２の波長におけるトラフィックを受信するように再生成要素を調節し、第２の保護トラフィックストリームを選択的に再生成するように動作可能である、再生成要素とを備える。
【０２１１】
（付記２９）
付記２８に記載の光ネットワークにおいて
光リング上の障害を検出するように動作可能なネットワーク管理システム（ＮＭＳ）をさらに備え、ＮＭＳが第２の作業トラフィックストリームの妨害を検出することに応答して第２の波長におけるトラフィックを受信するように再生成要素を調節することによって、再生成要素は、妨害に応答して再生成要素を調節するように動作可能である。
【０２１２】
（付記３０）
付記２８に記載の光ネットワークにおいて、
ノードのうちの１つまたはそれ以上のノードは、
第１の作業トラフィックストリームと、第２の作業トラフィックストリームとを光リング回りの第１の方向に送信し、
第１の保護トラフィックストリームと、第２の保護トラフィックストリームとを光リング回りの第２の方向に送信するように動作可能である。
【０２１３】
（付記３１）
付記２８に記載の光ネットワークにおいて、
再生成要素は、
第１の波長における第１のトラフィックストリームを再生成要素で選択的に再生成することによって第１の保護トラフィックストリームを選択的に再生成し、
第２の波長における第２のトラフィックストリームを再生成要素で選択的に再生成することによって第２の保護トラフィックストリームを選択的に再生成するように動作可能である。
【０２１４】
（付記３２）
付記２８に記載の光ネットワークにおいて、
再生成要素は、
当該再生成要素における第１の波長とは異なる波長において選択的に再生成した第１のトラフィックストリームからなる第１の保護トラフィックストリームを選択的に再生成し、
当該再生成要素における第１の波長とは異なる波長において選択的に再生成した第２のトラフィックストリームからなる第２の保護トラフィックストリームを選択的に再生成する
ように動作可能である。
【０２１５】
（付記３３）
付記２８に記載の光ネットワークにおいて
再生成要素は、
調節可能なフィルタであって、当該調節可能なフィルタの調節された波長において受信されたトラフィックを通過させ、任意の他の波長において受信されたトラフィックをブロックするように動作可能な調節可能なフィルタと、
調節可能なフィルタから受信されたトラフィックに基づいて、電気信号を生成するように動作可能な受信器と、
受信器によって生成された電気信号に基づいて、再生成されたトラフィックストリームを送信するように動作可能な送信器とを備え、
再生成要素は、光リング上を伝播する作業トラフィックストリームにおける妨害に応答して、調節可能なフィルタの調節された波長を調整するようにさらに動作可能である。
【０２１６】
（付記３４）
付記３３に記載の光ネットワークにおいて、
調整可能な受信器の調整波長の範囲で調節可能なフィルタから受信した、トラフィックに基づいて、電気信号を生成可能にする調節可能な受信器で構成した受信器と、
光リング上を伝播する作業トラフィックストリームにおける妨害に応答して、
調節可能な受信器の調節された波長を調整するよう動作可能である再生成要素。
【０２１７】
（付記３５）
複数のノードが設けられた光リングネットワークにおいて、
第１のノードと第２のノード間で作業トラフィックを伝播する作業トラフィックストリームを構成し、
該第１のノードが該作業トラフィックストリームにおいて障害を検出したとき、該作業トラフィックストリームと反対の方向に保護トラフィックを伝播させ、
第３のノードは該保護トラフィックを受信した時、該保護トラフィックを再生中継し、該第２のノードに該保護トラフィックを伝播させることを特徴とする光リングネットワーク。
【０２１８】
（付記３６）
付記３５記載の光リングネットワークにおいて、
該第３のノードは、該作業トラフィックストリームに用いられた波長と同じ波長の光で、該保護トラフィックを伝播させることを特徴とする光リングネットワーク。
【０２１９】
（付記３７）
付記３５記載の光リングネットワークにおいて、
該第３のノードは、該作業トラフィックストリームに用いられた波長と異なる波長の光で、該保護トラフィックを伝播させることを特徴とする光リングネットワーク。
【０２２０】
（付記３８）
付記３５記載の光リングネットワークにおいて、
該第３のノードは、該第１のノードから送られた該保護トラフィックに用いられた波長と同じ波長の光で、該保護トラフィックを伝播させることを特徴とする光リングネットワーク。
【０２２１】
（付記３９）
付記３５記載の光リングネットワークにおいて、
該第３のノードは、該第１のノードから送られた該保護トラフィックに用いられた波長と異なる波長の光で、該保護トラフィックを伝播させることを特徴とする光リングネットワーク。
【０２２２】
（付記４０）
付記３５記載の光リングネットワークにおいて、
該第１のノードと該第２のノード間の該作業トラフィックストリームは複数であることを特徴とする光リングネットワーク。
【０２２３】
（付記４１）
作業状態において、作業トラフィックの伝播を行い、障害が発生した場合は作業トラフィックと反対方向に保護トラフィックの伝播を行う光リングネットワークに設けられたノードにおいて、
該光リングネットワークの光の波長を分離し特定の波長をブロックし、他の波長をスルーする波長ブロッキング部と、
該トラフィックとは異なる波長で送られてくる該光リングネットワーク障害情報を検出する管理要素と、
該管理要素で該光ネットワークに障害を検出した際に、該光ネットワークから該保護トラフィック受信し、電気光変換した後に光電気変換し、再び該保護トラフィックを該光ネットワークに伝播させる再生成要素と
を有することを特徴とする光リングネットワークに設けられたノード。
【０２２４】
（付記４２）
付記４１記載の光リングネットワークに設けられたノードにおいて、
該再生成要素は、該作業トラフィックに用いられた波長と異なる波長の光で、該保護トラフィックを伝播させることを特徴とする光リングネットワークに設けられたノード。
【０２２５】
（付記４３）
付記４１記載の光リングネットワークに設けられたノードにおいて、
該再生成要素は、該保護トラフィックに用いられた波長と同じ波長の光で、該保護トラフィックを伝播させることを特徴とする光リングネットワークに設けられたノード。
【０２２６】
（付記４４）
付記４１記載の光リングネットワークに設けられたノードにおいて、
該再生成要素は、任意の波長の光で、該保護トラフィックを伝播させることを特徴とする光リングネットワークに設けられたノード。
【０２２７】
（付記４５）
付記４１記載の光リングネットワークに設けられたノードにおいて、
該波長ブロッキング部は該管理要素からの情報により任意の波長の光をブロックすることを特徴とする光リングネットワークに設けられたノード。
【図面の簡単な説明】
【０２２８】
【図１】本発明の一実施形態に係る光ネットワークを示すブロック図
【図２】本発明の一実施形態に係る、図１のネットワークのノードの詳細を示すブロック図
【図３】図２のノードの特定の一実施形態において使用されるであろう波長ブロッキング部の詳細を示すブロック図
【図４】ネットワーク上で互いに異なる波長で伝播する、第１の光トラフィックストリームと第２の光トラフィックストリームとを再成する際の、図１に示すネットワークの特定の一実施形態の動作を示す図
【図５】ネットワーク上で互いに異なる波長で伝播する、第１の光トラフィックストリームと第２の光トラフィックストリームとを再成する際の、図１に示すネットワークの特定の一実施形態の動作を示す図
【図６】ネットワーク上で互いに異なる波長で伝播する、第１の光トラフィックストリームと第２の光トラフィックストリームとを再成する際の、図１に示すネットワークの特定の一実施形態の動作を示す図
【図７】ネットワーク上で互いに異なる波長で伝播する、第１の光トラフィックストリームと第２の光トラフィックストリームとを再成する際の、図１に示すネットワークの特定の一実施形態の動作を示す図
【図８】共有された波長を利用する保護手法を実施する、図１に示すネットワークの特定の一実施形態の動作を示す図
【図９】共有された波長を利用する保護手法を実施する、図１に示すネットワークの特定の一実施形態の動作を示す図
【図１０】共有された波長を利用する保護手法を実施する、図１に示すネットワークの特定の一実施形態の動作を示す図
【図１１】共有された波長を利用する保護手法を実施する、図１に示すネットワークの特定の一実施形態の動作を示す図
【図１２】共有された波長対を利用する保護手法を実施する、図１に示すネットワークの特定の一実施形態の動作を示す図
【図１３】共有された波長対を利用する保護手法を実施する、図１に示すネットワークの特定の一実施形態の動作を示す図
【図１４】共有された波長対を利用する保護手法を実施する、図１に示すネットワークの特定の一実施形態の動作を示す図
【符号の説明】
【０２２９】
１２  ノード
１６、１８  ファイバ
５４  波長ブロッキング部
１２０  管理要素
２００  転送要素
２２０  再生成要素
２４０  付加要素
【図１】
2006174481.tif 000003
【図２】
2006174481.tif 000004
【図３】
2006174481.tif 000005
【図４】
2006174481.tif 000006
【図５】
2006174481.tif 000007
【図６】
2006174481.tif 000008
【図７】
2006174481.tif 000009
【図８】
2006174481.tif 000010
【図９】
2006174481.tif 000011
【図１０】
2006174481.tif 000012
【図１１】
2006174481.tif 000013
【図１２】
2006174481.tif 000014
【図１３】
2006174481.tif 000015
【図１４】
2006174481.tif 000016